(57)【特許請求の範囲】
【請求項１】
一次電源から供給される一次電源電圧の電力を供給電圧に変換して出力する電源装置であって、
該一次電源電圧を中間電圧に変換する複数の第１電源と、
該第１電源によって変換された該中間電圧を該供給電圧に変換して出力する第２電源と、
前記複数の第１電源のそれぞれから該中間電圧に変換された該電力を入力され、前記複数の第１電源の起動タイミングのずれを吸収するタイミング調整を行なって、該第２電源に該供給電圧の出力を行なわせるタイミング調整部とをそなえ、
該タイミング調整部が、
前記複数の第１電源のそれぞれに対応してそなえられ、各対応する該第１電源から入力される該電力に基づいてタイミング信号を出力可能な複数のタイミング信号出力部をそなえて構成され、
前記複数のタイミング信号出力部が、それぞれ、前記複数の第１電源のうち当該タイミング信号出力部に対応する該第１電源とは異なる他の第１電源から駆動電力を供給されることにより動作することを特徴とする、電源装置。
【請求項２】
前記複数のタイミング信号出力部が、それぞれ、前記複数の第１電源からそれぞれ供給される駆動電力を合成する合成部をそなえ、該合成部によって合成された駆動電力を供給されることを特徴する、請求項１記載の電源装置。
【請求項３】
一次電源から供給される一次電源電圧の電力を供給電圧に変換して出力する電源装置であって、
該一次電源電圧を中間電圧に変換する複数の第１電源と、
該第１電源によって変換された該中間電圧を該供給電圧に変換して出力する第２電源と、
前記複数の第１電源のそれぞれから該中間電圧に変換された該電力を入力され、前記複数の第１電源の起動タイミングのずれを吸収するタイミング調整を行なって、該第２電源に該供給電圧の出力を行なわせるタイミング調整部とをそなえ、
該タイミング調整部が、
前記複数の第１電源のそれぞれに対応してそなえられ、各対応する該第１電源から入力される該電力に基づいてタイミング信号を出力可能な複数のタイミング信号出力部と、
前記複数のタイミング信号出力部のそれぞれに対応してそなえられ、前記複数の第１電源のうち対応する該第１電源とは異なる他の第１電源の出力電力立ち上り遅れ時間以上、前記対応する該タイミング信号出力部から入力される該タイミング信号を遅延させて出力可能な複数の遅延部と、
前記複数の遅延部からそれぞれ出力される該タイミング信号の論理積をとる論理積部とをそなえることを特徴とする、電源装置。
【請求項４】
該タイミング信号出力部が、当該タイミング信号出力部に対応する該第１電源の出力電圧を基準電圧と比較する電圧コンパレータをそなえて構成され、当該電圧コンパレータの非通電時には該第２電源の出力動作を抑止しうる抑止信号を出力することを特徴とする、請求項１〜請求項３のいずれか１項に記載の電源装置。
【請求項５】
供給電圧で動作する複数の負荷素子と、
一次電源から供給される一次電源電圧を中間電圧に変換する複数の第１電源と、
該第１電源によって変換された該中間電圧を該供給電圧に変換して出力する第２電源と、
前記複数の第１電源のそれぞれから該中間電圧に変換された該電力を入力され、前記複数の第１電源の起動タイミングのずれを吸収するタイミング調整を行なって、該第２電源に該供給電圧の出力を行なわせるタイミング調整部とをそなえ、
該タイミング調整部が、
前記複数の第１電源のそれぞれに対応してそなえられ、各対応する該第１電源から入力される該電力に基づいてタイミング信号を出力可能な複数のタイミング信号出力部をそなえて構成され、
前記複数のタイミング信号出力部が、それぞれ、前記複数の第１電源のうち当該タイミング信号出力部に対応する該第１電源とは異なる他の第１電源から駆動電力を供給されることにより動作することを特徴とする、電子装置。
【請求項６】
前記複数のタイミング信号出力部が、それぞれ、前記複数の第１電源からそれぞれ供給される駆動電力を合成する合成部をそなえ、該合成部によって合成された駆動電力を供給されることを特徴する、請求項５記載の電子装置。
【請求項７】
供給電圧で動作する複数の負荷素子と、
一次電源から供給される一次電源電圧を中間電圧に変換する複数の第１電源と、
該第１電源によって変換された該中間電圧を該供給電圧に変換して出力する第２電源と、
前記複数の第１電源のそれぞれから該中間電圧に変換された該電力を入力され、前記複数の第１電源の起動タイミングのずれを吸収するタイミング調整を行なって、該第２電源に該供給電圧の出力を行なわせるタイミング調整部とをそなえ、
該タイミング調整部が、
前記複数の第１電源のそれぞれに対応してそなえられ、各対応する該第１電源から入力される該電力に基づいてタイミング信号を出力可能な複数のタイミング信号出力部と、
前記複数のタイミング信号出力部のそれぞれに対応してそなえられ、前記複数の第１電源のうち対応する該第１電源とは異なる他の第１電源の出力電力立ち上り遅れ時間以上、前記対応する該タイミング信号出力部から入力される該タイミング信号を遅延させて出力可能な複数の遅延部と、
前記複数の遅延部からそれぞれ出力される該タイミング信号の論理積をとる論理積部とをそなえることを特徴とする、電子装置。
【請求項８】
該タイミング信号出力部が、当該タイミング信号出力部に対応する該第１電源の出力電圧を基準電圧と比較する電圧コンパレータをそなえて構成され、当該電圧コンパレータの非通電時には該第２電源の出力動作を抑止しうる抑止信号を出力することを特徴とする、請求項５〜請求項７のいずれか１項に記載の電子装置。
【発明の詳細な説明】
【技術分野】
【０００１】
本発明は、例えばＩＢＡ（Intermediate Bus Architecture）電源系において、複数のバス電源の給電を行なう技術に関する。
【背景技術】
【０００２】
近年、素子（負荷素子）の低電圧化・大消費電流化により、配線の電圧降下による電圧変動を抑える為に、下記特許文献１に示すように、素子の直近に電源を配置するＰＯＬ（Point Of Load）方式の電源（以下、ＰＯＬ電源という）が使われるようになっている。
このＰＯＬ電源において、直接、一次側の給電電源を引き込む事は、ＰＯＬ電源の小型化を阻み、装置内部の絶縁確保が困難になる。そこで、一次給電電源より電圧が低い電圧（中間電圧，中間電位）に変換する絶縁電源を、小型の非絶縁電源（ＰＯＬコンバータ）の前段に設け、この絶縁電源によって生成された低圧電源を非絶縁電源に供給することにより、装置内部の絶縁耐圧を下げるＩＢＡ（Intermediate Bus Architecture）給電電源構成が知られている。
【０００３】
そして、このようなＩＢＡ供給電源構成においては、装置の大電力化に伴い、非絶縁電源に供給する絶縁電源の容量も大きくなるが、近年においては、負荷素子の外寸の高さに合わせて低背の小〜中容量の絶縁電源を使用した方が装置のコンパクト化が実現出来ることや、負荷容量に合わせて多品種少量生産を行なうよりも同一機種を組み合わせて使用した方が経済性が高いといった理由から、絶縁電源として、５０Ｗ〜２００Ｗ出力容量程度の複数の絶縁電源を組み合わせて使用する事が多くなっている。
【０００４】
図１１は従来のＩＢＡ給電電源構成をそなえる電源装置の構成例を模式的に示す図である。
この図１１に示す例においては、負荷素子ＬＯＡＤ１１，ＬＯＡＤ１２の近くに非絶縁電源ＤＣＤＣ１３〜ＤＣＤＣ１７が配置されるとともに、これらの非絶縁電源ＤＣＤＣ１３〜ＤＣＤＣ１７の前段（上流側）に、複数（図１１に示す例では２つ）の絶縁電源ＤＣＤＣ１１，ＤＣＤＣ１２がそなえられており、絶縁電源ＤＣＤＣ１１から非絶縁電源ＤＣＤＣ１３および非絶縁電源ＤＣＤＣ１４に対して給電を行なうとともに、絶縁電源ＤＣＤＣ１２から非絶縁電源ＤＣＤＣ１５〜ＤＣＤＣ１７に対して給電を行なうようになっている。
【０００５】
また、一般に、負荷素子ＬＯＡＤ１１，ＬＯＡＤ１２ではコア電源やＩ／Ｏ電源等の複数の電源が必要であり、図１１に示す例においては非絶縁電源ＤＣＤＣ１３から負荷素子ＬＯＡＤ１１のＶ１端子に、又、非絶縁電源ＤＣＤＣ１４から負荷素子ＬＯＡＤ１１のＶ２端子にそれぞれ給電を行なう一方で、非絶縁電源ＤＣＤＣ１５から負荷素子ＬＯＡＤ１２のＶ１端子に、又、非絶縁電源ＤＣＤＣ１６から負荷素子ＬＯＡＤ１２のＶ２端子にそれぞれ給電を行ない、更に、非絶縁電源ＤＣＤＣ１７から負荷素子ＬＯＡＤ１１および負荷素子ＬＯＡＤ１２の各Ｖ３端子にそれぞれ給電を行なうようになっている。
【０００６】
なお、負荷素子ＬＯＡＤ１１や負荷素子ＬＯＡＤ１２において各Ｖ３の消費電力が低い場合等には、この図１１に示すように、経済性を優先して、一の非絶縁電源ＤＣＤＣ１７から負荷素子ＬＯＡＤ１１および負荷素子ＬＯＡＤ１２の両方に電力を供給することが一般的に行なわれる。
【特許文献１】特開２００７−４９８２２号公報
【発明の開示】
【発明が解決しようとする課題】
【０００７】
しかしながら、このような従来のＩＢＡ給電電源構成をそなえる電源装置において、上述の如く複数の絶縁電源ＤＣＤＣ１１，ＤＣＤＣ１２を組み合わせて使用した場合に、これらの複数の絶縁電源ＤＣＤＣ１１，ＤＣＤＣ１２の立ち上りにバラツキが生じる事は避けられない。
図１２（ａ）〜（ｈ）は図１１に示す従来の電源装置における各電圧の状態を示すタイミングチャートであり、図１２（ａ）は絶縁電源ＤＣＤＣ１１から出力される中間電圧Ｖｉ１１を示す図、図１２（ｂ）は絶縁電源ＤＣＤＣ１２から出力される中間電圧Ｖｉ１２を示す図、図１２（ｃ）は負荷素子ＬＯＡＤ１１のＶ１端子に入力される信号を示す図、図１２（ｄ）は負荷素子ＬＯＡＤ１１のＶ２端子に入力される信号を示す図、図１２（ｅ）は負荷素子ＬＯＡＤ１１のＶ３端子に入力される信号を示す図、図１２（ｆ）は負荷素子ＬＯＡＤ１２のＶ１端子に入力される信号を示す図、図１２（ｇ）は負荷素子ＬＯＡＤ１２のＶ２端子に入力される信号を示す図、図１２（ｈ）は負荷素子ＬＯＡＤ１２のＶ３に入力される信号を示す図である。
【０００８】
ここで、例えば、上述した図１１に示す例において、負荷素子ＬＯＡＤ１１，ＬＯＡＤ１２の両方が、いずれも電源Ｖ１〜Ｖ３が同時に印加されないと正常に動作できない負荷素子である場合に、図１２に示すように、絶縁電源ＤＣＤＣ１１（時刻Ｔ１１；図１２（ａ）の点Ａ参照）が、絶縁電源ＤＣＤＣ１２（時刻Ｔ１２；図１２（ｂ）の点Ｂ参照）よりも先に起動すると、絶縁電源ＤＣＤＣ１１から非絶縁電源ＤＣＤＣ１３および非絶縁電源ＤＣＤＣ１４に対する電力供給が、絶縁電源ＤＣＤＣ１２から非絶縁電源ＤＣＤＣ１５〜ＤＣＤＣ１７に対する電力供給よりも先に行なわれ、これにより、負荷素子ＬＯＡＤ１１においてＶ３（図１２（ｅ）の点Ｅ参照）がＶ１（図１２（ｃ）の点Ｃ参照），Ｖ２（図１２（ｄ）の点Ｄ参照）よりも遅延して印加されるので、負荷素子ＬＯＡＤ１１が正常に動作出来ないおそれがある。
【０００９】
すなわち、複数の電源が必要な負荷素子において、これらの複数の電源が、同時もしくは規定された順序で印加しないと、負荷素子が正常に動作しないおそれがあるのである。
また、複数の負荷素子の間において、素子間信号が同時、又は定められた順序で送られないと、ハングアップやエラーが発生するおそれもある。
そこで、複数の絶縁電源ＤＣＤＣ１１，ＤＣＤＣ１２の出力を並列に接続することにより、後段の非絶縁電源ＤＣＤＣ１３〜ＤＣＤＣ１７に対して、同時に電力供給を行なう手法が考えられる。
【００１０】
図１３は従来の電源装置の他の構成例を模式的に示す図である。又、図１４（ａ），（ｂ）は図１３に示す従来の電源構成における各電圧の状態を示すタイミングチャートであり、図１４（ａ）は絶縁電源ＤＣＤＣ１１から出力される電圧Ｖｉ１１を示す図、図１４（ｂ）は絶縁電源ＤＣＤＣ１２から出力される電圧Ｖｉ１２の例を示す図である。
図１３に示す従来の電源装置においては、複数の絶縁電源ＤＣＤＣ１１，ＤＣＤＣ１２の各＋Ｖｏｕｔ端子からの出力を並列に接続し、後段の非絶縁電源ＤＣＤＣ１３〜ＤＣＤＣ１７の各＋Ｖｉｎ端子にそれぞれ入力するように構成されており、これにより、複数の絶縁電源ＤＣＤＣ１１，ＤＣＤＣ１２から後段の非絶縁電源ＤＣＤＣ１３〜ＤＣＤＣ１７
に対して、同時に電力供給を行なうものである。
【００１１】
しかしながら、この図１３に示す従来手法においては、図１４に示すように、絶縁電源ＤＣＤＣ１１，ＤＣＤＣ１２のうち、いずれか一方（図１４（ａ），（ｂ）に示す例では絶縁電源ＤＣＤＣ１１）が先に起動した場合には（図１４（ａ）の時刻Ｔ１１参照）、絶縁電源ＤＣＤＣ１２が起動（図１４（ｂ）の時刻Ｔ１２参照）する前に非絶縁電源ＤＣＤＣ１３〜ＤＣＤＣ１７の全ての負荷が絶縁電源ＤＣＤＣ１１に集中し（図１４（ａ）の点Ｆ参照）、この絶縁電源ＤＣＤＣ１１がダウンする恐れがある。
【００１２】
本発明は、このような課題に鑑み創案されたもので、複数の電源から負荷素子に電力供給を行なう場合において、これらの複数の電源間で起動時間にずれが生じる場合であっても、負荷素子に安定した電源を供給できるようにすることを目的とする。
【課題を解決するための手段】
【００１３】
このため、この電源装置の特徴は、一次電源から供給される一次電源電圧の電力を供給電圧に変換して出力する電源装置において、該一次電源電圧を中間電圧に変換する複数の第１電源と、該第１電源によって変換された該中間電圧を該供給電圧に変換して出力する第２電源と、前記複数の第１電源のそれぞれから該中間電圧に変換された該電力を入力され、前記複数の第１電源の起動タイミングのずれを吸収するタイミング調整を行なって、該第２電源に該供給電圧の出力を行なわせるタイミング調整部とをそなえ、該タイミング調整部が、前記複数の第１電源のそれぞれに対応してそなえられ、各対応する該第１電源から入力される該電力に基づいてタイミング信号を出力可能な複数のタイミング信号出力部をそなえて構成され、前記複数のタイミング信号出力部が、それぞれ、前記複数の第１電源のうち当該タイミング信号出力部に対応する該第１電源とは異なる他の第１電源から駆動電力を供給されることにより動作するものである。
【００１４】
また、この電子装置の特徴は、供給電圧で動作する複数の負荷素子と、一次電源から供給される一次電源電圧を中間電圧に変換する複数の第１電源と、該第１電源によって変換された該中間電圧を該供給電圧に変換して出力する第２電源と、前記複数の第１電源のそれぞれから該中間電圧に変換された該電力を入力され、前記複数の第１電源の起動タイミングのずれを吸収するタイミング調整を行なって、該第２電源に該供給電圧の出力を行なわせるタイミング調整部とをそなえ、該タイミング調整部が、前記複数の第１電源のそれぞれに対応してそなえられ、各対応する該第１電源から入力される該電力に基づいてタイミング信号を出力可能な複数のタイミング信号出力部をそなえて構成され、前記複数のタイミング信号出力部が、それぞれ、前記複数の第１電源のうち当該タイミング信号出力部に対応する該第１電源とは異なる他の第１電源から駆動電力を供給されることにより動作するものである。
【００１６】
また、前記複数のタイミング信号出力部が、それぞれ、前記複数の第１電源からそれぞれ供給される駆動電力を合成する合成部をそなえ、該合成部によって合成された駆動電力を供給されてもよい。
さらに、この電源装置の特徴は、一次電源から供給される一次電源電圧の電力を供給電圧に変換して出力する電源装置であって、該一次電源電圧を中間電圧に変換する複数の第１電源と、該第１電源によって変換された該中間電圧を該供給電圧に変換して出力する第２電源と、前記複数の第１電源のそれぞれから該中間電圧に変換された該電力を入力され、前記複数の第１電源の起動タイミングのずれを吸収するタイミング調整を行なって、該第２電源に該供給電圧の出力を行なわせるタイミング調整部とをそなえ、該タイミング調整部が、前記複数の第１電源のそれぞれに対応してそなえられ、各対応する該第１電源から入力される該電力に基づいてタイミング信号を出力可能な複数のタイミング信号出力部と、前記複数のタイミング信号出力部のそれぞれに対応してそなえられ、前記複数の第１電源のうち対応する該第１電源とは異なる他の第１電源の出力電力立ち上り遅れ時間以上、前記対応する該タイミング信号出力部から入力される該タイミング信号を遅延させて出力可能な複数の遅延部と、前記複数の遅延部からそれぞれ出力される該タイミング信号の論理積をとる論理積部とをそなえるものである。
また、この電子装置の特徴は、供給電圧で動作する複数の負荷素子と、一次電源から供給される一次電源電圧を中間電圧に変換する複数の第１電源と、該第１電源によって変換された該中間電圧を該供給電圧に変換して出力する第２電源と、前記複数の第１電源のそれぞれから該中間電圧に変換された該電力を入力され、前記複数の第１電源の起動タイミングのずれを吸収するタイミング調整を行なって、該第２電源に該供給電圧の出力を行なわせるタイミング調整部とをそなえ、該タイミング調整部が、前記複数の第１電源のそれぞれに対応してそなえられ、各対応する該第１電源から入力される該電力に基づいてタイミング信号を出力可能な複数のタイミング信号出力部と、前記複数のタイミング信号出力部のそれぞれに対応してそなえられ、前記複数の第１電源のうち対応する該第１電源とは異なる他の第１電源の出力電力立ち上り遅れ時間以上、前記対応する該タイミング信号出力部から入力される該タイミング信号を遅延させて出力可能な複数の遅延部と、前記複数の遅延部からそれぞれ出力される該タイミング信号の論理積をとる論理積部とをそなえるものである。
【００１７】
またさらに、該タイミング信号出力部が、当該電源監視部に対応する該第１電源の出力電圧を基準電圧と比較する電圧コンパレータをそなえて構成され、当該電圧コンパレータの非通電時には該第２電源の出力動作を抑止しうる抑止信号を出力してもよい。
【発明の効果】
【００１８】
開示の装置によれば、以下の少なくともいずれか１つの効果ないし利点が得られる。
（１）複数の第１電源のうち、一部の第１電源だけが先に起動した場合であっても、複数の第２電源が同時もしくはほぼ同時に供給電圧の出力を行なうことができ、安定した電力供給を行なうことができる。
（２）複数の第１電源のうち、一部の第１電源だけが先に起動した場合であっても、起動していない第１電源に対応する第２電源の停止状態を維持することができ、不確定な供給電圧の電力供給が行なわれることを防止することができ、信頼性を向上させることができる。
【００１９】
（３）タイミング信号出力部が、そのタイミング信号出力部に対応する第１電源の出力電圧を基準電圧と比較する電圧コンパレータをそなえて構成され、この電圧コンパレータの非通電時には第２電源の出力動作を抑止しうる抑止信号を出力することにより、起動していない第１電源に対応する第２電源を確実に停止させることができる。
【００２０】
（４）第２電源が、第２電源の起動および停止を制御するための信号を入力するための制御信号入力部をそなえ、タイミング調整部が、このタイミング信号を制御信号入力部に入力することにより、第２電源に前記供給電圧の出力を行なわせることにより、第２電源の動作を確実に制御することができ信頼性を向上させることができる。
【発明を実施するための最良の形態】
【００２１】
以下、図面を参照して本発明の実施の形態を説明する。
（Ａ）第１実施形態の説明
図１は本発明の第１実施形態としての電源装置１００ａの構成を模式的に示す図である。
本第１実施形態の電源装置１００ａは、例えば、コンピュータ等の電子装置１に電源ユニットとしてそなえられ、一次電源１０から供給される一次電源電圧（Ｖｉ）の電力を供給電圧（Ｖｏ１，Ｖｏ２，Ｖｏ３，Ｖｏ４，Ｖｏ５）に変換して、電子装置１の負荷素子ＬＯＡＤ１，ＬＯＡＤ２に出力（供給）するものであって、図１に示すように、絶縁電源ＤＣＤＣ１，ＤＣＤＣ２，非絶縁電源ＤＣＤＣ３〜ＤＣＤＣ７およびタイミング調整部２０ａをそなえて構成されている。
【００２２】
負荷素子ＬＯＡＤ１，ＬＯＡＤ２は、いずれも本電源装置１００ａによって電力を供給されることにより動作して、電子装置１における何らかの機能を実現する素子（負荷素子）であって、図１に示す例においては、それぞれＶ１端子，Ｖ２端子，Ｖ３端子およびＳＧ端子をそなえて構成されている。
なお、本第１実施形態においては、これらの負荷素子ＬＯＡＤ１，ＬＯＡＤ２を正常に動作させるためには、負荷素子ＬＯＡＤ１，ＬＯＡＤ２のいずれにおいても、端子Ｖ１，端子Ｖ２および端子Ｖ３の全てにほぼ同時に電力が印加される必要があるものである。
【００２３】
一次電源１０は、本電源装置１００ａに電力給電を行なう直流入力電源であり、所定電圧（一次電源電圧：Ｖｉ）の電力を本電源装置１００ａに供給するようになっている。
絶縁電源ＤＣＤＣ１および絶縁電源ＤＣＤＣ２は、それぞれ一次電源１０から入力された電力の電圧Ｖｉを、この一次電源電圧Ｖｉよりも低い中間電圧（中間電位）に変換するコンバータ電源（第１電源）であり、絶縁電源として構成されている。
【００２４】
ここで、絶縁電源ＤＣＤＣ１および絶縁電源ＤＣＤＣ２は、それぞれ＋Ｖｉｎ端子，−Ｖｉｎ端子，＋Ｖｏｕｔ端子および−Ｖｏｕｔ端子をそなえて構成されており、絶縁電源ＤＣＤＣ１および絶縁電源ＤＣＤＣ２の各＋Ｖｉｎ端子および−Ｖｉｎ端子には一次電源１０が接続され、この一次電源１０から一次電源電圧Ｖｉの電力が入力されるようになっている。
【００２５】
そして、本第１実施形態においては、絶縁電源ＤＣＤＣ１は一次電源１０から入力された電力の電圧Ｖｉを、中間電圧Ｖｉ１に、絶縁電源ＤＣＤＣ２は一次電源１０から入力された電力の電圧Ｖｉを、中間電圧Ｖｉ２に、それぞれ変換するようになっている。
また、絶縁電源ＤＣＤＣ１の＋Ｖｏｕｔ端子は後述する非絶縁電源ＤＣＤＣ３およびＤＣＤＣ４の各＋Ｖｉｎ端子に接続されており、絶縁電源ＤＣＤＣ１は、生成した中間電圧Ｖｉ１の電力をこれらの非絶縁電源ＤＣＤＣ３およびＤＣＤＣ４の＋Ｖｉｎ端子にそれぞれ供給（給電）するようになっている。同様に、絶縁電源ＤＣＤＣ２の＋Ｖｏｕｔ端子は後述する非絶縁電源ＤＣＤＣ５，ＤＣＤＣ６，ＤＣＤＣ７の各＋Ｖｉｎ端子に接続されており、絶縁電源ＤＣＤＣ２は、生成した中間電圧Ｖｉ２の電力をこれらの非絶縁電源ＤＣＤＣ５，ＤＣＤＣ６，ＤＣＤＣ７の＋Ｖｉｎ端子にそれぞれ供給（給電）するようになっている。なお、絶縁電源ＤＣＤＣ１，ＤＣＤＣ２の各−Ｖｏｕｔ端子は、それぞれグラウンド接続されている。
【００２６】
そして、これらの絶縁電源ＤＣＤＣ１，ＤＣＤＣ２は既知の種々の技術により実現することができるものであり、その具体的な回路構成等の説明は省略する。
また、絶縁電源ＤＣＤＣ１の後段（下流側，出力側）、すなわち、絶縁電源ＤＣＤＣ１の出力側端子である＋Ｖｏｕｔ端子および−Ｖｏｕｔや、絶縁電源ＤＣＤＣ２の後段、すなわち、絶縁電源ＤＣＤＣ２の出力側端子である＋Ｖｏｕｔ端子および−Ｖｏｕｔには、後述するタイミング調整部２０ａが接続されている。
【００２７】
非絶縁電源ＤＣＤＣ３，ＤＣＤＣ４，ＤＣＤＣ５，ＤＣＤＣ６，ＤＣＤＣ７は、それぞれ絶縁電源ＤＣＤＣ１もしくは絶縁電源ＤＣＤＣ２から入力された電力の電圧（中間電圧）を、これらの中間電圧よりも低い供給電圧（供給電位）に変換するコンバータ電源（第２電源）であり、非絶縁電源として構成されている。
具体的には、非絶縁電源ＤＣＤＣ３は絶縁電源ＤＣＤＣ１から供給される中間電圧Ｖｉ１の電力を供給電圧Ｖo１に変換するようになっており、同様に、非絶縁電源ＤＣＤＣ４は絶縁電源ＤＣＤＣ１から供給される中間電圧Ｖｉ１の電力を供給電圧Ｖｏ２に、非絶縁電源ＤＣＤＣ５は絶縁電源ＤＣＤＣ２から供給される中間電圧Ｖｉ２の電力を供給電圧Ｖｏ３に、非絶縁電源ＤＣＤＣ６は絶縁電源ＤＣＤＣ２から供給される中間電圧Ｖｉ２の電力を供給電圧Ｖｏ４に、非絶縁電源ＤＣＤＣ７は絶縁電源ＤＣＤＣ２から供給される中間電圧Ｖｉ２の電力を供給電圧Ｖｏ５に、それぞれ変換するようになっている。
【００２８】
ここで、これらの非絶縁電源ＤＣＤＣ３〜ＤＣＤＣ７は、図１に示すように、それぞれ＋Ｖｉｎ端子，−Ｖｉｎ端子，ＲＣ端子，＋Ｖｏｕｔ端子および−Ｖｏｕｔ端子をそなえて構成されており、非絶縁電源ＤＣＤＣ３およびＤＣＤＣ４の各＋Ｖｉｎ端子には、それぞれ絶縁電源ＤＣＤＣ１の＋Ｖｏｕｔ端子が接続され、この絶縁電源ＤＣＤＣ１の＋Ｖｏｕｔ端子から出力される中間電圧Ｖｉ１の電力がそれぞれ入力されるようになっている。
【００２９】
同様に、非絶縁電源ＤＣＤＣ５〜ＤＣＤＣ７の各＋Ｖｉｎ端子には、それぞれ絶縁電源ＤＣＤＣ２の＋Ｖｏｕｔ端子が接続され、この絶縁電源ＤＣＤＣ２の＋Ｖｏｕｔ端子から出力される中間電圧Ｖｉ２の電力がそれぞれ入力されるようになっている。又、非絶縁電源ＤＣＤＣ３〜ＤＣＤＣ７の各−Ｖｉｎ端子は、それぞれグラウンド接続されている。
そして、非絶縁電源ＤＣＤＣ３によって変換（生成）された供給電圧Ｖｏ１の電力は負荷素子ＬＯＡＤ１のＶ１端子に供給され、非絶縁電源ＤＣＤＣ４によって生成された供給電圧Ｖｏ２の電力は負荷素子ＬＯＡＤ１のＶ２端子に供給されるようになっている。同様に、非絶縁電源ＤＣＤＣ５によって生成された供給電圧Ｖｏ３の電力は負荷素子ＬＯＡＤ２のＶ１端子に、非絶縁電源ＤＣＤＣ６によって生成された供給電圧Ｖｏ４の電力は負荷素子ＬＯＡＤ２のＶ２端子に、非絶縁電源ＤＣＤＣ７によって生成された供給電圧Ｖｏ５の電力は負荷素子ＬＯＡＤ２のＶ３端子に、それぞれ供給されるようになっている。
【００３０】
また、非絶縁電源ＤＣＤＣ３〜ＤＣＤＣ７の各ＲＣ端子には、後述するタイミング調整部２０ａの監視回路（タイミング信号出力部）２０−１，２０−２から出力されるタイミング信号が入力されるようになっている。
ＲＣ端子は、非絶縁電源ＤＣＤＣ３〜ＤＣＤＣ７自身の起動・停止を制御するための信号を入力するための端子（制御信号入力部）であって、このＲＣ端子にＬｏｗ信号が入力されているときには、非絶縁電源ＤＣＤＣ３〜ＤＣＤＣ７はその動作を停止するようになっており、ＲＣ端子にＨｉｇｈ信号が入力された時に、これらの非絶縁電源ＤＣＤＣ３〜ＤＣＤＣ７はそれぞれ起動し、電力の出力を行なうようになっている。
【００３１】
すなわち、非絶縁電源ＤＣＤＣ３〜ＤＣＤＣ７は、各ＲＣ端子に監視回路２０−１，２０−２からタイミング信号としてＨｉｇｈ信号が入力された時に、それぞれ供給電圧Ｖｏ１〜Ｖｏ５の電力を出力するようになっているのである。
そして、このようなＲＣ端子にタイミング信号を入力して制御を行なうことにより、非絶縁電源ＤＣＤＣ３〜ＤＣＤＣ７動作を確実に制御することができるようになっている。
【００３２】
本第１実施形態において、負荷素子ＬＯＡＤ１，ＬＯＡＤ２においてＶ３端子に入力される電力の消費電力はいずれも少ないものであり、且つ、同じ電圧であるものとする。そこで、図１に示す例においては、非絶縁電源ＤＣＤＣ７によって生成された供給電圧Ｖｏ５の電力を負荷素子ＬＯＡＤ１のＶ３端子と負荷素子ＬＯＡＤ２のＶ３端子との両方に供給することにより、経済性を向上させている。
【００３３】
そして、上述した非絶縁電源ＤＣＤＣ３，ＤＣＤＣ４，ＤＣＤＣ７はいずれも負荷素子ＬＯＡＤ１の近傍に配置されており、又、非絶縁電源ＤＣＤＣ５〜ＤＣＤＣ７はいずれも負荷素子ＬＯＡＤ２の近傍に配置されている。
すなわち、本第１実施形態の電源装置１００ａは、負荷素子ＬＯＡＤ１，ＬＯＡＤ２の近くに非絶縁電源ＤＣＤＣ３〜ＤＣＤＣ７をそなえるＰＯＬ（Point Of Load）方式として構成されており、これらの非絶縁電源ＤＣＤＣ３〜ＤＣＤＣ７が、ＰＯＬ電源（ＰＯＬコンバータ）に相当するものである。そして、本第１実施形態の電源装置１００ａは、一次電源１０からの電力を絶縁電源ＤＣＤＣ１，ＤＣＤＣ２により低電圧の中間電圧Ｖｉ１，Ｖｉ２にそれぞれ変換するＩＢＡ（Intermediate Bus Architecture）給電電源として構成されており、このような分散電源アーキテクチャを採用することにより、電源装置１００ａ内部の絶縁耐圧を下げ、又、本電源装置１００ａの製造コストを低減することができる。
【００３４】
タイミング調整部（タイミング信号出力部）２０ａは、絶縁電源ＤＣＤＣ１，ＤＣＤＣ２の後段（下流側，出力側）に配設され、これらの複数の絶縁電源ＤＣＤＣ１，ＤＣＤＣ２のそれぞれから中間電位Ｖｉ１，Ｖｉ２に変換された電力を入力され、これらの複数の絶縁電源ＤＣＤＣ１，ＤＣＤＣ２の起動タイミングのずれを吸収するタイミング調整を行なって、非絶縁電源（第２電源）ＤＣＤＣ３〜ＤＣＤＣ７に生成した供給電圧の出力を行なわせるものであり、監視回路２０−１と監視回路２０−２とをそなえて構成されている。
【００３５】
監視回路２０−１，２０−２は、それぞれ絶縁電源ＤＣＤＣ１，ＤＣＤＣ２の後段（下流側，出力側）において、これらの絶縁電源ＤＣＤＣ１，ＤＣＤＣ２から入力される電力を監視するものであって、図１に示す例においては、監視回路２０−１は、絶縁電源ＤＣＤＣ１に対応するように、その後段にそなえられている一方で、監視回路２０−２は、絶縁電源ＤＣＤＣ２に対応するように、その後段にそなえられており、これらの監視回路２０−１，２０−２は、各対応する絶縁電源ＤＣＤＣ１，ＤＣＤＣ２から入力される電力に基づいてタイミング信号を出力するようになっている。
【００３６】
監視回路２０−１は、絶縁電源ＤＣＤＣ１の＋Ｖｏｕｔ端子から出力される電力の電圧（中間電圧）Ｖｉ１を予め設定された基準電圧Ｖｒ１と比較し、中間電圧Ｖｉ１が基準電圧Ｖｒ１よりも高い場合に、Ｈｉｇｈ信号（１）を出力する比較器（電圧コンパレータ）ＩＣ１をそなえて構成されており、この比較器ＩＣ１の出力は、後述する監視回路２０−２の比較器ＩＣ２からの出力とワイヤート゛オアされて、非絶縁電源ＤＣＤＣ３〜ＤＣＤＣ７の各ＲＣ端子にそれぞれタイミング信号として入力されるようになっている。
【００３７】
一方、監視回路２０−２は、絶縁電源ＤＣＤＣ２から出力される電力の電圧（中間電圧）Ｖｉ２を予め設定された基準電圧Ｖｒ２と比較し、中間電圧Ｖｉ２が基準電圧Ｖｒ２よりも高い場合に、Ｈｉｇｈ信号（１）を出力する比較器（電圧コンパレータ）ＩＣ２をそなえて構成されており、この比較器ＩＣ２の出力は、上述した監視回路２０−２の比較器ＩＣ１からの出力とワイヤート゛オアされるのである。
【００３８】
そして、これらの監視回路２０−１，２０−２において、比較器ＩＣ１，ＩＣ２から出力される両方の信号がＨｉｇｈの時に、非絶縁電源ＤＣＤＣ３〜ＤＣＤＣ７の各ＲＣ端子にそれぞれＨｉｇｈ（タイミング信号）が入力され、これらの非絶縁電源ＤＣＤＣ３〜ＤＣＤＣ７が起動するようになっている。
また、本電源装置１００ａにおいては、監視回路２０−１，２０−２は、それぞれ、複数の絶縁電源ＤＣＤＣ１，ＤＣＤＣ２のうち、各監視回路２０−１，２０−２がそなえられた（対応する）絶縁電源ＤＣＤＣ１，ＤＣＤＣ２とは異なる他の絶縁電源ＤＣＤＣ２，ＤＣＤＣ１から駆動電力を供給されることにより動作するようになっている。
【００３９】
すなわち、監視回路２０−２の比較器ＩＣ２には、絶縁電源ＤＣＤＣ１から出力される電力が駆動電力として供給されるようになっており、又、監視回路２０−１の比較器ＩＣ１には、絶縁電源ＤＣＤＣ２から出力される電力が駆動電力として供給されるようになっている。
これにより、本第１実施形態の電源装置１００ａにおいては、絶縁電源ＤＣＤＣ１の起動が絶縁電源ＤＣＤＣ２の起動よりも遅れること（起動遅れ）によって比較器ＩＣ１が動作できずに不安定な信号が送出されることがなく、又、その逆に、絶縁電源ＤＣＤＣ２の起動が絶縁電源ＤＣＤＣ１の起動よりも遅れること（起動遅れ）によって比較器ＩＣ２が動作できずに不安定な信号が送出されることもない。
【００４０】
そして、例えば、絶縁電源ＤＣＤＣ２の起動が遅れても、比較器ＩＣ２には絶縁電源ＤＣＤＣ１より電力が供給されるので正常に動作し、絶縁電源ＤＣＤＣ２が起動していない期間は比較器ＩＣ２から停止信号（Ｌｏｗ）が確実に送出され、非絶縁電源ＤＣＤＣ５〜ＤＣＤＣ７のＲＣ端子に入力されるので、絶縁電源ＤＣＤＣ1，ＤＣＤＣ２が全て起動してから非絶縁電源ＤＣＤＣ３〜ＤＣＤＣ７に比較器ＩＣ１，ＩＣ２から起動信号（Ｈｉｇｈ）が確実に送出される。
【００４１】
本第１実施形態の電源装置１００ａにおいては、図１に示すように、絶縁電源ＤＣＤＣ１の＋Ｖｏｕｔ端子から出力され、非絶縁電源ＤＣＤＣ３，ＤＣＤＣ４に入力される電力を分岐させて監視回路２０−２の比較器ＩＣ２の＋側の電源端子（＋側電源端子）に入力する一方で、絶縁電源ＤＣＤＣ２の＋Ｖｏｕｔ端子から出力され、非絶縁電源ＤＣＤＣ５〜ＤＣＤＣ７に入力される電力を分岐させて監視回路２０−１の比較器ＩＣ１の＋側電源端子に入力するようになっている。なお、監視回路２０−１の比較器ＩＣ１の−側の電源端子（−側電源端子）や、監視回路２０−２の比較器ＩＣ２の−側電源端子は、それぞれグラウンド接続されている。
【００４２】
図２は図１に示した本発明の第１実施形態としての電源装置１００ａのタイミング調整部２０ａの回路構成を具体的に示す図である。
この図２に示す例においては、監視回路２０−１は、絶縁電源ＤＣＤＣ１の出力電圧を分圧する分圧抵抗Ｒ１，Ｒ２をそなえて構成されており、これらの分圧抵抗Ｒ１，Ｒ２の抵抗値は予め設定されるようになっている。
【００４３】
そして、この監視回路２０−１においては、比較器ＩＣ１は、タイミング信号として、これらの分圧抵抗Ｒ１，Ｒ２によって分圧された絶縁電源ＤＣＤＣ１の分圧値が基準電圧Ｖｒ１よりも低い状態ではＬｏｗ（０）信号を出力（Ｌｏｗ出力）し、又、その分圧値が基準電圧Ｖｒ１よりも高くなるとＨｉｇｈ信号（１）を出力（Ｈｉｇｈ出力）するようになっている。
【００４４】
同様に、監視回路２０−２は、絶縁電源ＤＣＤＣ２の出力電圧を分圧する分圧抵抗Ｒ３，Ｒ４をそなえて構成されており、これらの分圧抵抗Ｒ３，Ｒ４の抵抗値は予め設定されるようになっている。
そして、この監視回路２０−２においては、比較器ＩＣ２は、タイミング信号として、これらの分圧抵抗Ｒ３，Ｒ４によって分圧された絶縁電源ＤＣＤＣ２の分圧値が基準電圧Ｖｒ２よりも低い状態ではＬｏｗ出力を行ない、又、その分圧値が基準電圧Ｖｒ２よりも高くなるとＨｉｇｈ信号を出力（Ｈｉｇｈ出力）するようになっている。
【００４５】
すなわち、比較器ＩＣ１，ＩＣ２から出力されるタイミング信号は、絶縁電源ＤＣＤＣ１，ＤＣＤＣ２の出力電圧の分圧値が基準電圧Ｖｒ１，Ｖｒ２よりも高くなる事で、絶縁電源ＤＣＤＣ１や絶縁電源ＤＣＤＣ２の出力電圧が立ち上がったと判断して、ＬｏｗからＨｉｇｈに転ずるのである。
また、各監視回路２０−１，２０−２において、比較器ＩＣ１，ＩＣ２は、それぞれ非通電時にはＬｏｗ出力（抑止信号）を行なうようになっており、非絶縁電源ＤＣＤＣ３〜ＤＣＤＣ７においては、これらのＬｏｗ出力がＲＣ端子に入力されている状態では、電力の出力動作を停止するようになっている。
【００４６】
さらに、比較器ＩＣ１およびＩＣ２の出力は互いに接続（ワイヤードオア）されているので、一方の出力がＬｏｗ、すなわち、出力電圧の分圧値が基準電圧を満たさない場合は、非絶縁電源ＤＣＤＣ３〜ＤＣＤＣ７の各ＲＣ端子はＬｏｗのままとなり、これらの非絶縁電源ＤＣＤＣ３〜ＤＣＤＣ７は停止状態を維持するようになっている。一方、比較器ＩＣ１および比較器ＩＣ２の両方の出力がＨｉｇｈ、すなわち、絶縁電源ＤＣＤＣ１，ＤＣＤＣ２両方の出力電圧の分圧値が基準値を超えると、非絶縁電源ＤＣＤＣ３〜ＤＣＤＣ７のＲＣ端子はＨｉｇｈとなり、これらの非絶縁電源ＤＣＤＣ３〜ＤＣＤＣ７が一斉に起動するのである。
【００４７】
上述の如く構成された、本発明の第１実施形態としての電源装置１００ａにおける各部の電圧の状態を、図３（ａ）〜（ｋ）に示すタイミングチャートを参照しながら説明する。
ここで、図３（ａ）は絶縁電源ＤＣＤＣ１から出力される中間電圧Ｖｉ１を示す図、図３（ｂ）は絶縁電源ＤＣＤＣ２から出力される中間電圧Ｖｉ２を示す図、図３（ｃ）は監視回路２０−１から出力されるタイミング信号を示す図、図３（ｄ）は監視回路２０−２から出力されるタイミング信号を示す図、図３（ｅ）は図３（ｃ）に示す監視回路２０−１から出力されるタイミング信号と図３（ｄ）に示す監視回路２０−２から出力されるタイミング信号との和を示す図、図３（ｆ）は負荷素子ＬＯＡＤ１のＶ１端子に入力される信号を示す図、図３（ｇ）は負荷素子ＬＯＡＤ１のＶ２端子に入力される信号を示す図、図３（ｈ）は負荷素子ＬＯＡＤ１のＶ３端子に入力される信号を示す図、図３（ｉ）は負荷素子ＬＯＡＤ２のＶ１端子に入力される信号を示す図、図３（ｊ）は負荷素子ＬＯＡＤ２のＶ２端子に入力される信号を示す図、図３（ｋ）は負荷素子ＬＯＡＤ２のＶ３に入力される信号を示す図である。
【００４８】
また、これらの図３（ａ）〜図３（ｋ）に示す例においては、絶縁電源ＤＣＤＣ１が絶縁電源ＤＣＤＣ２よりも先に起動し（立ち上がり）、電力供給を開始する例を示している。
さて、本電源装置１００ａが起動しておらず、絶縁電源ＤＣＤＣ１，ＤＣＤＣ２のいずれも起動していない状態（停止状態）では（時刻Ｔ０〜Ｔ１参照）、監視回路２０−１の比較器ＩＣ１および監視回路２０−２の比較器ＩＣ２のいずれにも電力が供給されず、これらの比較器ＩＣ１，ＩＣ２のいずれの出力も不確定な状態であるが、一方、非絶縁電源ＤＣＤＣ３〜ＤＣＤＣ７のいずれにも電力が供給されておらず（停止状態）、これらの非絶縁電源ＤＣＤＣ３〜ＤＣＤＣ７も起動されることがない。従って、これらの非絶縁電源ＤＣＤＣ３〜ＤＣＤＣ７から負荷素子ＬＯＡＤ１，ＬＯＡＤ２に対して、不確定な電力供給が行なわれることはない。
【００４９】
なお、図３（ｃ），（ｄ）中、比較器ＩＣ１，ＩＣ２による出力が不確定な領域を斜線を付して示す。
そして、本電源装置１００ａが起動し、先ず、絶縁電源ＤＣＤＣ１が起動し、その出力電圧が立ち上がった場合に（時刻Ｔ１；図３（ａ）の点Ａ１参照）、この絶縁電源ＤＣＤＣ１から監視回路２０−２の比較器ＩＣ２に対して電力が供給され、この比較器ＩＣ２が動作を開始する。しかし、この時点（時刻Ｔ１）においては、絶縁電源ＤＣＤＣ２は停止状態であり、比較器ＩＣ１は動作していないので出力は不確定であるが、比較器ＩＣ２からＬｏｗ出力が行なわれているままである（図３（ｄ）の点Ａ２参照）。
【００５０】
また、この間（時刻Ｔ１〜Ｔ２）、絶縁電源ＤＣＤＣ２は停止状態であり、比較器ＩＣ１への電力供給は行なわれていないので、監視回路２０−１の出力が不確定な状態であっても（図３（ｃ）参照）、比較器ＩＣ２の出力がＬｏｗであるので（図３（ｄ）参照）、非絶縁電源ＤＣＤＣ３〜ＤＣＤＣ７の各ＲＣ端子はいずれもＬｏｗを維持され（図３（ｅ）のＡ３参照）、これらの非絶縁電源ＤＣＤＣ３〜ＤＣＤＣ７は停止状態を維持する。
【００５１】
なお、絶縁電源ＤＣＤＣ１の起動に伴い、この絶縁電源ＤＣＤＣ１によって生成された電力は非絶縁電源ＤＣＤＣ３，ＤＣＤＣ４の各＋Ｖｉｎ端子にも供給されるが、非絶縁電源ＤＣＤＣ３〜ＤＣＤＣ７の各ＲＣ端子はいずれもＬｏｗを維持されているので、これらの非絶縁電源ＤＣＤＣ３〜ＤＣＤＣ７は停止状態を維持する。これにより、負荷素子ＬＯＡＤ１，ＬＯＡＤ２のＶ１端子〜Ｖ３端子もＬｏｗに維持されたままである（図３（ｆ）〜図３（ｋ）参照）。
【００５２】
その後、非絶縁電源ＤＣＤＣ２が起動すると（時刻Ｔ２；図３（ｂ）の点Ａ４参照）、この非絶縁電源ＤＣＤＣ２から比較器ＩＣ１への電力供給が行なわれ、この比較器ＩＣ１が動作を開始する（図３（ｃ）の点Ａ５参照）。このときには、既に非絶縁電源ＤＣＤＣ１，ＤＣＤＣ２の両方の出力電圧が立ち上がっているので、比較器ＩＣ１および比較器ＩＣ２の両方の出力がＨｉｇｈとなり（図３（ｄ）参照）、非絶縁電源ＤＣＤＣ３〜ＤＣＤＣ７のＲＣ端子へ入力される信号がＬｏｗからＨｉｇｈに転じて、これらの非絶縁電源ＤＣＤＣ３〜ＤＣＤＣ７が一斉に起動する。
【００５３】
これにより、負荷素子ＬＯＡＤ１および負荷素子ＬＯＡＤ２の各Ｖ１端子，Ｖ２端子およびＶ３端子には、ほぼ同時に電力が供給されるのである（図３（ｆ）〜図３（ｋ）参照）。
このように、本発明の第１実施形態としての電源装置１００ａによれば、本電源装置１００ａが起動しておらず、絶縁電源ＤＣＤＣ１，ＤＣＤＣ２のいずれも起動していない状態（停止状態）には、非絶縁電源ＤＣＤＣ３〜ＤＣＤＣ７のいずれにも電力が供給されず（停止状態）、これらの非絶縁電源ＤＣＤＣ３〜ＤＣＤＣ７も起動されることがなく、従って、これらの非絶縁電源ＤＣＤＣ３〜ＤＣＤＣ７から負荷素子ＬＯＡＤ１，ＬＯＡＤ２に対して、不確定な電力供給が行なわれることはなく、信頼性を向上することができる。
【００５４】
また、比較器ＩＣ１およびＩＣ２の出力は互いに接続（ワイヤードオア）されているので、一方がＬｏｗ、すなわち、出力電圧の分圧値が基準電圧を満たさない場合は、非絶縁電源ＤＣＤＣ３〜ＤＣＤＣ７の各ＲＣ端子はＬｏｗのままとなり、これらの非絶縁電源ＤＣＤＣ３〜ＤＣＤＣ７の停止状態を確実に維持することができる。
そして、監視回路２０−１，２０−２は、それぞれ対応する絶縁電源ＤＣＤＣ１，ＤＣＤＣ２とは異なる他の絶縁電源ＤＣＤＣ２，ＤＣＤＣ１からそれぞれ電力を供給されて作動するようになっているので、一方の絶縁電源（例えば、絶縁電源ＤＣＤＣ１）だけが先に起動した状態においても、先に起動した絶縁電源（例えば、絶縁電源ＤＣＤＣ１）から、起動していない方の絶縁電源（例えば、絶縁電源ＤＣＤＣ２）に対応する監視回路２０−２の比較器ＩＣ２に対して電力が供給され、この監視回路２０−２の出力を確実にＬｏｗに維持することができるので、非絶縁電源ＤＣＤＣ３〜ＤＣＤＣ７の停止状態が維持され、これらの非絶縁電源ＤＣＤＣ３〜ＤＣＤＣ７から負荷素子ＬＯＡＤ１，ＬＯＡＤ２に対して、不確定な電力供給が行なわれることはない。
【００５５】
すなわち、複数の第１電源（絶縁電源ＤＣＤＣ１，ＤＣＤＣ２）の起動タイミングのずれを吸収するタイミング調整を行なって、複数の第２電源（非絶縁電源ＤＣＤＣ３〜ＤＣＤＣ７）に一斉に供給電圧の出力を行なわせることにより、複数の第１電源のうち、一部の第１電源だけが先に起動した場合であっても、複数の第２電源が同時もしくはほぼ同時に供給電圧の出力を行なうことができ、安定した電力供給を行なうことができる。
【００５６】
また、各監視回路２０−１，２０−２において、比較器ＩＣ１，ＩＣ２は、それぞれ非通電時にはＬｏｗ出力（抑止信号）を行なうようになっており、これにより、非絶縁電源ＤＣＤＣ３〜ＤＣＤＣ７においては、これらの比較器ＩＣ１，ＩＣ２からＬｏｗ出力がＲＣ端子に入力されている状態では、電力の出力動作を確実に停止することができ、信頼性を向上させることができる。
【００５７】
そして、比較器ＩＣ１および比較器ＩＣ２の両方の出力がＨｉｇｈ、すなわち、絶縁電源ＤＣＤＣ１，ＤＣＤＣ２両方の出力電圧の分圧値が基準値を超えた場合に、非絶縁電源ＤＣＤＣ３〜ＤＣＤＣ７の各ＲＣ端子がＨｉｇｈとなり、これらの非絶縁電源ＤＣＤＣ３〜ＤＣＤＣ７が一斉に起動し、これらの非絶縁電源ＤＣＤＣ３〜ＤＣＤＣ７から負荷素子ＬＯＡＤ１および負荷素子ＬＯＡＤ２の各Ｖ１端子，Ｖ２端子およびＶ３端子に、ほぼ同時に電力を供給することができ、複数の絶縁電源ＤＣＤＣ１，ＤＣＤＣ２間で起動時間にずれが生じる場合においても、非絶縁電源ＤＣＤＣ３〜ＤＣＤＣ７を同じタイミングで一斉に起動させることができ、負荷素子ＬＯＡＤ１，ＬＯＡＤ２に安定した電源を供給できる。
【００５８】
また、これにより、複数の絶縁電源ＤＣＤＣ１，ＤＣＤＣ２の起動の時間差異により無駄に非絶縁電源ＤＣＤＣ３〜ＤＣＤＣ７を分散させることなく、効率よく非絶縁電源の電力を負荷素子に対して分配することができる。
また、これらの非絶縁電源ＤＣＤＣ３〜ＤＣＤＣ７に電力を供給する絶縁電源ＤＣＤＣ１，ＤＣＤＣ２についても同様に、効率よく配下の非絶縁電源ＤＣＤＣ３〜ＤＣＤＣ７に電力を分配することができる。
【００５９】
さらに、これらの絶縁電源ＤＣＤＣ１，ＤＣＤＣ２について、各起動時間の遅延のばらつきに対する配慮が不要となるので、安価な電源を使用することができ、製造コストを低減することができる。
また、監視回路２０−１と監視回路２０−２とから同時に電力が出力されるまでの間に、これらの監視回路２０−１，２０−２から不定状態なタイミング信号が出力されることもないので、これによっても、負荷素子ＬＯＡＤ１，ＬＯＡＤ２に対して安定した電力供給を行なうことができ、信頼性を向上させることができる。
【００６０】
また、一次電源１０より電圧が低い電圧（中間電圧，中間電位）に変換する絶縁電源ＤＣＤＣ１，ＤＣＤＣ２を、小型の非絶縁電源（ＰＯＬコンバータ）ＤＣＤＣ３〜ＤＣＤＣ７の前段に設けることにより、ＰＯＬ電源を小型化し、装置内部の絶縁確保を行なうことができる。
【００６１】
本第２実施形態の電源装置１００ｂは、第１実施形態の電源装置１００ａと同様に、例えば、コンピュータ等の電子装置１に電源ユニットとしてそなえられ、一次電源１０から供給される一次電源電圧（Ｖｉ）の電力を供給電圧（Ｖｏ１，Ｖｏ２，Ｖｏ３，Ｖｏ４，Ｖｏ５）に変換して電子装置１の負荷素子ＬＯＡＤ１，ＬＯＡＤ２に出力（供給）するものであって、ＰＯＬ方式として構成されているとともに、ＩＢＡ供給電源として構成されている。
【００６２】
そして、本第２実施形態の電源装置１００ｂは、図４および図５に示すように、絶縁電源ＤＣＤＣ１，ＤＣＤＣ２，非絶縁電源ＤＣＤＣ３〜ＤＣＤＣ７およびタイミング調整部２０ｂをそなえて構成されている。
なお、図中、既述の符号と同一の符号は同一もしくは略同一の部分を示しているので、その詳細な説明は省略する。
【００６３】
本第２実施形態の電源装置１００ｂのタイミング調整部２０ｂは、第１実施形態のタイミング調整部２０ａと同様に、絶縁電源ＤＣＤＣ１，ＤＣＤＣ２の後段（下流側，出力側）に配設され、絶縁電源ＤＣＤＣ１の後段、すなわち、絶縁電源ＤＣＤＣ１の出力側端子である＋Ｖｏｕｔ端子および−Ｖｏｕｔや、絶縁電源ＤＣＤＣ２の後段、すなわち、絶縁電源ＤＣＤＣ２の出力側端子である＋Ｖｏｕｔ端子および−Ｖｏｕｔに接続されている。
【００６４】
そして、このタイミング調整部２０ｂは、複数の絶縁電源ＤＣＤＣ１，ＤＣＤＣ２のそれぞれから中間電位Ｖｉ１，Ｖｉ２に変換された電力が入力されるようになっており、これらの複数の絶縁電源ＤＣＤＣ１，ＤＣＤＣ２の起動タイミングのずれを吸収するタイミング調整を行なって、非絶縁電源（第２電源）ＤＣＤＣ３〜ＤＣＤＣ７に生成した供給電圧の出力を行なわせるようになっている。
【００６５】
なお、このタイミング調整部２０ｂにおいては、絶縁電源ＤＣＤＣ１に対応させてその後段に監視回路２０−１が、絶縁電源ＤＣＤＣ２に対応させてその後段に監視回路２０−２が、それぞれ配置されている。
本第２実施形態の電源装置１００ｂにおいては、タイミング調整部２０ｂは、監視回路２０−１および監視回路２０−２をそなえて構成されている。
【００６６】
そして、これらの監視回路２０−１，２０−２は、複数の絶縁電源ＤＣＤＣ１，ＤＣＤＣ２から駆動電力を供給されることにより動作するようになっており、監視回路２０−１の比較器ＩＣ１と監視回路２０−２の比較器ＩＣ２とには、それぞれ、絶縁電源ＤＣＤＣ１から出力される電力と絶縁電源ＤＣＤＣ２から出力される電力とが駆動電力として供給されるようになっている。
【００６７】
具体的には、図４，図５に示すように、タイミング調整部２０ｂにおいては、絶縁電源ＤＣＤＣ１の＋Ｖｏｕｔ端子から出力され、非絶縁電源ＤＣＤＣ３，ＤＣＤＣ４に入力される電力を電力供給線Ｌ２として分岐させて、監視回路２０−１の比較器ＩＣ１の＋側の電源端子（＋側電源端子）に入力するとともに、絶縁電源ＤＣＤＣ２の＋Ｖｏｕｔ端子から出力され、非絶縁電源ＤＣＤＣ５〜ＤＣＤＣ７に入力される電力を電力供給線Ｌ１として分岐させて、ダイオードＤ２を介して監視回路２０−１の比較器ＩＣ１の＋側電源端子に入力するようになっており、電力供給線Ｌ２にこの電力供給線Ｌ１を接線して構成している。
【００６８】
また、電力供給線Ｌ２においては、電力供給線Ｌ１から供給される電力が絶縁電源ＤＣＤＣ１側に逆流しないように、電力供給線Ｌ１との結線位置よりも絶縁電源ＤＣＤＣ１側にダイオードＤ１をそなえて構成されている。
同様に、タイミング調整部２０ｂにおいては、絶縁電源ＤＣＤＣ１の＋Ｖｏｕｔ端子から出力され、非絶縁電源ＤＣＤＣ３，ＤＣＤＣ４に入力される電力を電力供給線Ｌ３として分岐させて、ダイオードＤ３を介して監視回路２０−２の比較器ＩＣ２の＋側電源端子に入力するとともに、絶縁電源ＤＣＤＣ２の＋Ｖｏｕｔ端子から出力され、非絶縁電源ＤＣＤＣ３〜ＤＣＤＣ７に入力される電力を電力供給線Ｌ４として分岐させて、監視回路２０−２の比較器ＩＣ２の＋側の電源端子（＋側電源端子）に入力するようになっており、電力供給線Ｌ４にこの電力供給線Ｌ３を接線して構成している。
【００６９】
また、電力供給線Ｌ４においては、電力供給線Ｌ３から供給される電力が絶縁電源ＤＣＤＣ２側に逆流しないように、電力供給線Ｌ３との結線位置よりも絶縁電源ＤＣＤＣ２側にダイオードＤ４をそなえて構成されている。
すなわち、絶縁電源ＤＣＤＣ１と絶縁電源ＤＣＤＣ２とによって生成された電力（駆動電力）は、ダイオードＤ１とダイオードＤ２とによるダイオードオアにより合成されて、監視回路２０−１の比較器ＩＣ１に供給されており、これらのダイオードＤ１，Ｄ２が、複数の絶縁電源ＤＣＤＣ１，ＤＣＤＣ２からそれぞれ供給される駆動電力を合成する合成部として機能するのである。
【００７０】
同様に、絶縁電源ＤＣＤＣ１と絶縁電源ＤＣＤＣ２とによって生成された電力（駆動電力）は、ダイオードＤ３とダイオードＤ４とによるダイオードオアにより合成されて、監視回路２０−２の比較器ＩＣ２に供給されており、これらのダイオードＤ３，Ｄ４も、複数の絶縁電源ＤＣＤＣ１，ＤＣＤＣ２からそれぞれ供給される駆動電力を合成する合成部として機能するのである。
【００７１】
本第２実施形態の電源装置１００ｂにおいては、絶縁電源ＤＣＤＣ２の＋Ｖｏｕｔ端子から出力される電力をダイオードＤ２を介して監視回路２０−１の比較器ＩＣ１の＋側電源端子に入力することにより、絶縁電源ＤＣＤＣ１の起動遅れにより比較器ＩＣ１が動作できずに不確定な信号を出力してしまうことを抑止するようになっており、同様に、絶縁電源ＤＣＤＣ１の＋Ｖｏｕｔ端子から出力される電力をダイオードＤ３を介して監視回路２０−２の比較器ＩＣ２の＋側電源端子に入力することにより、絶縁電源ＤＣＤＣ２の起動遅れにより比較器ＩＣ２が動作できずに不確定な信号を出力してしまうことを抑止するようになっているのである。
【００７２】
また、比較器ＩＣ１，ＩＣ２の各出力は、互いに接続されて、非絶縁電源ＤＣＤＣ３〜ＤＣＤＣ７の各ＲＣ端子に入力されるようになっており、これらの複数の比較器ＩＣ１，ＩＣ２からそれぞれ出力される電力が両方ともＨｉｇｈとなったときに、非絶縁電源ＤＣＤＣ３〜ＤＣＤＣ７のＲＣ端子はＨｉｇｈとなり、これらの非絶縁電源ＤＣＤＣ３〜ＤＣＤＣ７が一斉に起動するようになっている。
【００７３】
上述の如く構成された、本発明の第２実施形態としての電源装置１００ｂにおける各部の電圧の状態を、図６（ａ）〜（ｍ）に示すタイミングチャートを参照しながら説明する。
ここで、図６（ａ）は絶縁電源ＤＣＤＣ１から出力される中間電圧Ｖｉ１を示す図、図６（ｂ）は絶縁電源ＤＣＤＣ２から出力される中間電圧Ｖｉ２を示す図、図６（ｃ）は監視回路２０−１の比較器ＩＣ１にかかる電圧Ｖｉｃ１を示す図、図６（ｄ）は監視回路２０−２の比較器ＩＣ２にかかる電圧Ｖｉｃ２を示す図、図６（ｅ）は監視回路２０−１の比較器ＩＣ１から出力されるタイミング信号を示す図、図６（ｆ）は監視回路２０−２の比較器ＩＣ２から出力されるタイミング信号を示す図、図６（ｇ）は図６（ｅ）に示す監視回路２０−１の比較器ＩＣ１から出力されるタイミング信号と図６（ｆ）に示す監視回路２０−２の比較器ＩＣ２から出力されるタイミング信号とのワイヤード出力を示す図、図６（ｈ）は負荷素子ＬＯＡＤ１のＶ１端子に入力される信号を示す図、図６（ｉ）は負荷素子ＬＯＡＤ１のＶ２端子に入力される信号を示す図、図６（ｊ）は負荷素子ＬＯＡＤ１のＶ３端子に入力される信号を示す図、図６（ｋ）は負荷素子ＬＯＡＤ２のＶ１端子に入力される信号を示す図、図６（ｌ）は負荷素子ＬＯＡＤ２のＶ２端子に入力される信号を示す図、図６（ｍ）は負荷素子ＬＯＡＤ２のＶ３に入力される信号を示す図である。
【００７４】
また、これらの図６（ａ）〜図６（ｍ）に示す例においては、絶縁電源ＤＣＤＣ１が絶縁電源ＤＣＤＣ２よりも先に起動し（立ち上がり）、電力供給を開始する例を示している。
さて、本電源装置１００ｂが起動しておらず、絶縁電源ＤＣＤＣ１，ＤＣＤＣ２のいずれも起動していない状態（停止状態）では（時刻Ｔ０〜Ｔ１参照）、監視回路２０−１の比較器ＩＣ１および監視回路２０−２の比較器ＩＣ２のいずれにも電力が供給されず、これらの比較器ＩＣ１，ＩＣ２のいずれの出力も不確定な状態であるが、一方、非絶縁電源ＤＣＤＣ３〜ＤＣＤＣ７のいずれにも電力が供給されておらず（停止状態）、これらの非絶縁電源ＤＣＤＣ３〜ＤＣＤＣ７も起動されることがない。従って、これらの非絶縁電源ＤＣＤＣ３〜ＤＣＤＣ７から負荷素子ＬＯＡＤ１，ＬＯＡＤ２に対して、不確定な電力供給が行なわれることはない。
【００７５】
なお、図６（ｅ），（ｆ）中、比較器ＩＣ１，ＩＣ２による出力が不確定な領域を斜線を付して示す。
そして、本電源装置１００ｂが起動し、先ず、絶縁電源ＤＣＤＣ１が起動して、その出力電圧が立ち上がった場合に（時刻Ｔ１；図６（ａ）の点Ｂ１参照）、この絶縁電源ＤＣＤＣ１から、ダイオードＤ１を介して監視回路２０−１の比較器ＩＣ１に電力が供給されるとともに、ダイオードＤ３を介して監視回路２０−２の比較器ＩＣ２に対して電力が供給され（図６（ｃ），（ｄ）参照）、これらの比較器ＩＣ１，ＩＣ２が動作を開始する（図６（ｅ），（ｆ）参照）。
【００７６】
この時点（時刻Ｔ１）においては、絶縁電源ＤＣＤＣ１は運転しており、比較器ＩＣ１の出力はＨｉｇｈを維持する一方、絶縁電源ＤＣＤＣ２は停止しているので、比較器ＩＣ２の出力はＬｏｗを維持する。すなわち、比較器ＩＣ２には絶縁電源ＤＣＤＣ１より電力が供給されるので、比較器ＩＣ２は正常に動作し、絶縁電源ＤＣＤＣ２が起動していない期間（時刻Ｔ１〜Ｔ２）においても、比較器ＩＣ２から確実に停止信号が送出（Ｌｏｗを維持）されるのである。
【００７７】
ここで、比較器ＩＣ１，ＩＣ２の出力はお互いに接続されているので、比較器ＩＣ２がＬｏｗを維持している間は、非絶縁電源ＤＣＤＣ３〜ＤＣＤＣ７の各ＲＣ端子はＬｏｗのまま停止状態を維持する（図６（ｇ）のＢ２参照）。
なお、絶縁電源ＤＣＤＣ１の起動に伴い、この絶縁電源ＤＣＤＣ１によって生成された電力は非絶縁電源ＤＣＤＣ３，ＤＣＤＣ４の各＋Ｖｉｎ端子にも供給されるが、非絶縁電源ＤＣＤＣ３〜ＤＣＤＣ７の各ＲＣ端子はいずれもＬｏｗを維持されているので、これらの非絶縁電源ＤＣＤＣ３〜ＤＣＤＣ７は停止状態を維持する。これにより、負荷素子ＬＯＡＤ１，ＬＯＡＤ２のＶ１端子〜Ｖ３端子もＬｏｗに維持されたままである（図６（ｈ）〜図６（ｍ）参照）。
【００７８】
その後、非絶縁電源ＤＣＤＣ２が起動し、その出力電圧が立ち上がると（時刻Ｔ２，図６（ｂ）の点Ｂ３参照）、比較器ＩＣ２がＬｏｗからＨｉｇｈに転じて（図６（ｆ）の点Ｂ４参照）、比較器ＩＣ１および比較器ＩＣ２の両方の出力がＨｉｇｈとなるので（図６（ｆ）の点Ｂ５参照）、非絶縁電源ＤＣＤＣ３〜ＤＣＤＣ７のＲＣ端子へ入力される信号がＬｏｗからＨｉｇｈに転じて、これらの非絶縁電源ＤＣＤＣ３〜ＤＣＤＣ７が一斉に起動する（図６（ｈ）〜図６（ｍ）参照）。
【００７９】
これにより、負荷素子ＬＯＡＤ１および負荷素子ＬＯＡＤ２の各Ｖ１端子，Ｖ２端子およびＶ３端子には、ほぼ同時に電力が供給されるのである。
このように、本発明の第２実施形態としての電源装置１００ｂによれば、上述した第１実施形態と同様の作用効果を得ることができる他、３以上の絶縁電源ＤＣＤＣ（第１電源）をそなえる場合にも適用することができる。
【００８０】
このように、３以上の絶縁電源ＤＣＤＣをそなえる場合には、各絶縁電源ＤＣＤＣからそれぞれ出力される電力の少なくとも２以上をダイオードオアにより合成して、これらの絶縁電源ＤＣＤＣの後段にそなえた監視回路に供給することにより実現することが望ましい。
（Ｃ）第３実施形態
図７は本発明の第３実施形態としての電源装置１００ｃの構成を模式的に示す図である。
【００８１】
本第３実施形態の電源装置１００ｃは、第１実施形態の電源装置１００ａと同様に、例えば、コンピュータ等の電子装置に電源ユニットとしてそなえられ、一次電源１０から供給される一次電源電圧（Ｖｉ）の電力を供給電圧（Ｖｏ１，Ｖｏ２，Ｖｏ３，Ｖｏ４，Ｖｏ５）に変換して負荷素子ＬＯＡＤ１，ＬＯＡＤ２に出力（供給）するものであって、ＰＯＬ方式として構成されているとともに、ＩＢＡ供給電源として構成されている。
【００８２】
そして、本第３実施形態の電源装置１００ｃは、図７および図８に示すように、絶縁電源ＤＣＤＣ１，ＤＣＤＣ２，非絶縁電源ＤＣＤＣ３〜ＤＣＤＣ７およびタイミング調整部２０ｃをそなえて構成されている。
なお、図中、既述の符号と同一の符号は同一もしくは略同一の部分を示しているので、その詳細な説明は省略する。
【００８３】
本第３実施形態の電源装置１００ｃのタイミング調整部２０ｃは、第１実施形態のタイミング調整部２０ａと同様に、絶縁電源ＤＣＤＣ１，ＤＣＤＣ２の後段（下流側，出力側）に配設され、絶縁電源ＤＣＤＣ１の後段、すなわち、絶縁電源ＤＣＤＣ１の出力側端子である＋Ｖｏｕｔ端子および−Ｖｏｕｔや、絶縁電源ＤＣＤＣ２の後段、すなわち、絶縁電源ＤＣＤＣ２の出力側端子である＋Ｖｏｕｔ端子および−Ｖｏｕｔに接続されている。
【００８４】
そして、このタイミング調整部２０ｃは、複数の絶縁電源ＤＣＤＣ１，ＤＣＤＣ２のそれぞれから中間電位Ｖｉ１，Ｖｉ２に変換された電力が入力されるようになっており、これらの複数の絶縁電源ＤＣＤＣ１，ＤＣＤＣ２の起動タイミングのずれを吸収するタイミング調整を行なって、非絶縁電源（第２電源）ＤＣＤＣ３〜ＤＣＤＣ７に生成した供給電圧の出力を行なわせるようになっている。
【００８５】
なお、このタイミング調整部２０ｃにおいては、絶縁電源ＤＣＤＣ１に対応させてその後段に監視回路２０−１が、絶縁電源ＤＣＤＣ２に対応させてその後段に監視回路２０−２が、それぞれ配置されている。
本第３実施形態の電源装置１００ｃにおいては、タイミング調整部２０ｃは、監視回路２０−１，２０−２および遅延部２１−１，２１−２をそなえて構成されている。
【００８６】
遅延部２１−１、２１−２は、いずれも入力された信号を予め設定された時間（遅延時間）だけ遅延させて出力を行なうものであり、遅延部２１−１は絶縁電源ＤＣＤＣ１および監視回路２０−１に対応してそなえられ、又、遅延部２１−２は絶縁電源ＤＣＤＣ２および監視回路２０−２に対応してそなえられている。すなわち、遅延部２１−１，２１−２は、複数の絶縁電源ＤＣＤＣ１，ＤＣＤＣ２のそれぞれに対応してそなえられているのである。
【００８７】
そして、遅延部２１−１は、その対応する監視回路２０−１から入力されるタイミング信号を所定の遅延時間（Ｄｅｌａｙ１）だけ遅延させて出力するようになっており、その遅延時間は、本第３実施形態の電源装置１００ｃにそなえられた複数（図７，図８に示す例では２つ）の絶縁電源ＤＣＤＣ１，ＤＣＤＣ２のうち、対応する絶縁電源ＤＣＤＣ１とは異なる他の第１電源である絶縁電源ＤＣＤＣ２の出力電力立ち上り遅れ時間以上の時間である。
【００８８】
同様に、遅延部２１−２は、その対応する監視回路２０−２から入力されるタイミング信号を所定の遅延時間（Ｄｅｌａｙ２）だけ遅延させて出力するようになっており、その遅延時間は、本第３実施形態の電源装置１００ｃにそなえられた複数（図７に示す例では２つ）の絶縁電源ＤＣＤＣ１，ＤＣＤＣ２のうち、対応する絶縁電源ＤＣＤＣ２とは異なる他の第１電源である絶縁電源ＤＣＤＣ１が起動し電力の出力を開始するまでに要する時間（以下、出力電力立ち上り遅れ時間という）以上の時間である。
【００８９】
すなわち、遅延部２１−１、２１−２は、複数の絶縁電源ＤＣＤＣ１，ＤＣＤＣ２のそれぞれに対応してそなえられ、これらの複数の絶縁電源ＤＣＤＣ１，ＤＣＤＣ２のうち対応する絶縁電源ＤＣＤＣとは異なる他の絶縁電源ＤＣＤＣの出力電力立ち上り遅れ時間以上、その対応する監視回路から入力されるタイミング信号を遅延させて出力可能に構成されている。
【００９０】
なお、絶縁電源ＤＣＤＣ１，ＤＣＤＣ２の各出力電力立ち上り遅れ時間は、絶縁電源ＤＣＤＣ１，ＤＣＤＣ２の各特性等、本電源装置１００ｃの構成等によって変わるものであり、予め起動試験等を行なうことにより知ることができ、本電源装置１００ｃの設計者は、これらの起動試験等により取得した各出力電力立ち上り遅れ時間以上、遅延させるよう各絶縁電源ＤＣＤＣ１，ＤＣＤＣ２の設定を行なう。
【００９１】
また、これらの遅延部２１−１，２１−２によりそれぞれ出力される電力は、ワイヤードオアされて非絶縁電源ＤＣＤＣ３〜ＤＣＤＣ７の各ＲＣ端子に入力されるようになっており、これらの複数の遅延部２１−１，２１−２からそれぞれ出力される電力が両方ともＨｉｇｈとなったときに、非絶縁電源ＤＣＤＣ３〜ＤＣＤＣ７のＲＣ端子はＨｉｇｈとなり、これらの非絶縁電源ＤＣＤＣ３〜ＤＣＤＣ７が一斉に起動するようになっている。
【００９２】
すなわち、本第３実施形態の電源装置１００ｃにおいては、遅延部２１−１，２１−２によりそれぞれ出力される電力を、ワイヤードオアして非絶縁電源ＤＣＤＣ３〜ＤＣＤＣ７の各ＲＣ端子に入力させることにより、これらの複数の遅延部２１−１，２１−２からそれぞれ出力される電力の論理積をとる論理積部を実現している。
また、本第３実施形態の電源装置１００ｃにおいては、図７に示すように、監視回路２０−１は絶縁電源ＤＣＤＣ１から駆動電力を供給されることにより動作するようになっており、又、監視回路２０−２は絶縁電源ＤＣＤＣ２から駆動電力を供給されることにより動作するようになっている。
【００９３】
具体的には、図７に示すように、タイミング調整部２０ｃにおいては、絶縁電源ＤＣＤＣ１の＋Ｖｏｕｔ端子から出力され、非絶縁電源ＤＣＤＣ３，ＤＣＤＣ４に入力される電力を分岐させて、監視回路２０−１の比較器ＩＣ１の＋側の電源端子（＋側電源端子）に入力するとともに、絶縁電源ＤＣＤＣ２の＋Ｖｏｕｔ端子から出力され、非絶縁電源ＤＣＤＣ５〜ＤＣＤＣ７に入力される電力を分岐させて、監視回路２０−２の比較器ＩＣ２の＋側電源端子に入力するようになっている。
【００９４】
そして、このように、本発明の第３実施形態としての電源装置１００ｃによれば、上述した第１実施形態と同様の作用効果を得ることができる他、３以上の絶縁電源ＤＣＤＣをそなえる場合にも適用することができる。
本発明の第３実施形態としての電源装置１００ｃにおける各部の電圧の状態を、図８（ａ）〜（ｋ）に示すタイミングチャートを参照しながら説明する。
【００９５】
ここで、図８は本発明の第３実施形態としての電源装置１００ｃにおける各部の処理を示すタイミングチャートであり、図８（ａ）は絶縁電源ＤＣＤＣ１から出力される中間電圧Ｖｉ１を示す図、図８（ｂ）は絶縁電源ＤＣＤＣ２から出力される中間電圧Ｖｉ２を示す図、図８（ｃ）は監視回路２０−１から出力されるタイミング信号を示す図、図８（ｄ）は監視回路２０−２から出力されるタイミング信号を示す図、図８（ｅ）は図８（ｃ）に示す監視回路２０−１から出力されるタイミング信号と図８（ｄ）に示す監視回路２０−２から出力されるタイミング信号との和を示す図、図８（ｆ）は負荷素子ＬＯＡＤ１のＶ１端子に入力される信号を示す図、図８（ｇ）は負荷素子ＬＯＡＤ１のＶ２端子に入力される信号を示す図、図８（ｈ）は負荷素子ＬＯＡＤ１のＶ３端子に入力される信号を示す図、図８（ｉ）は負荷素子ＬＯＡＤ２のＶ１端子に入力される信号を示す図、図８（ｊ）は負荷素子ＬＯＡＤ２のＶ２端子に入力される信号を示す図、図８（ｋ）は負荷素子ＬＯＡＤ２のＶ３に入力される信号を示す図である。
【００９６】
なお、これらの図８（ａ）〜図８（ｋ）に示す例においては、絶縁電源ＤＣＤＣ１が絶縁電源ＤＣＤＣ２よりも先に起動し（立ち上がり）、電力供給を開始する例を示している。
本第３実施形態の電源装置１００ｃにおいては、図８（ａ），（ｂ）に示すように、絶縁電源ＤＣＤＣ１，ＤＣＤＣ２のうち、絶縁電源ＤＣＤＣ２の起動（図８（ｂ）の時刻Ｔ２参照）が絶縁電源ＤＣＤＣ１の起動（図８（ａ）の時刻Ｔ１参照）よりも遅れ、起動時間にずれが生じても（図８（ａ），（ｂ）参照）、比較器ＩＣ１から出力されるタイミング信号は、遅延部２１−１により予め設定された遅延時間（図８（ｃ）のＤｅｌａｙ１参照）だけ遅延される。そして、この遅延時間（Ｄｅｌａｙ１）は、絶縁電源ＤＣＤＣ２の立ち上り遅れ時間以上に設定されているので、これにより、非絶縁電源ＤＣＤＣ３〜ＤＣＤＣ７に入力されるタイミング信号は、絶縁電源ＤＣＤＣ２の起動が完了するまでの間（図８（ｂ）の時間Ｔ２参照）、確実にＬｏｗを維持する（図８（ｃ）参照）。
【００９７】
すなわち、本第３実施形態１００ｃにおいては、その起動時に、絶縁電源ＤＣＤＣ１よりも遅れて起動する絶縁電源ＤＣＤＣ２に対応する監視回路２０−２の比較器ＩＣ２の出力が確定しなくても、遅延部２１−１により、比較器ＩＣ１，ＩＣ２のワイヤードオア出力はＬｏｗのまま維持され（図８（ｅ）の時間Ｔ０〜Ｔ３参照）、非絶縁電源ＤＣＤＣ３〜ＤＣＤＣ７は停止を維持するのである（図８（ｆ）〜（ｋ）参照）。
【００９８】
そして、遅延部２１−１に監視回路２０−１からのタイミング信号が入力されてから遅延時間経過すると、遅延部２１−１はタイミング信号の出力を開始する（図８（ｃ）の点Ｃ１参照）。
また、絶縁電源ＤＣＤＣ１に遅れて絶縁電源ＤＣＤＣ２が起動し（図８（ｂ）の時間Ｔ２参照）、監視回路２０−２から出力されるタイミング信号が遅延部２１−２に入力され、この遅延部２１−２よって遅延時間（Ｄｅｌａｙ２）だけ遅延されて、遅延部２１−２から出力される（図８（ｄ）の時間Ｔ３および点Ｃ２参照）。
【００９９】
これらの遅延部２１−１，２１−２の両方の出力がＨｉｇｈに転じると（時間Ｔ３参照）、これらのワイヤードオア出力がＨｉｇｈとなり（図８（ｅ）参照）、非絶縁電源ＤＣＤＣ３〜ＤＣＤＣ７の各ＲＣ端子にタイミング信号（起動信号）が入力され、これらの非絶縁電源ＤＣＤＣ３〜ＤＣＤＣ７が同時に起動する。すなわち、本第３実施形態の電源装置１００ｃにおいては、絶縁電源ＤＣＤＣ１，ＤＣＤＣ２の全てが確実に起動した後に、非絶縁電源ＤＣＤＣ３〜ＤＣＤＣ７にタイミング信号が送出されるのである。
【０１００】
図９は本発明の第３実施形態としての電源装置１００ｃのタイミング調整部２０ｃの具体的な構成例を示す図である。
この図９に示す例においても、監視回路２０−１は、絶縁電源ＤＣＤＣ１の出力電圧を分圧する分圧抵抗Ｒ１，Ｒ２をそなえて構成されるとともに、監視回路２０−２は、絶縁電源ＤＣＤＣ２の出力電圧を分圧する分圧抵抗Ｒ４，Ｒ５をそなえて構成されており、これらの分圧抵抗Ｒ１，Ｒ２，Ｒ３，Ｒ４の各抵抗値は予め設定されるようになっている。
【０１０１】
そして、これらの監視回路２０−１，２０−２においては、比較器ＩＣ１，ＩＣ２は、これらの分圧抵抗Ｒ１，Ｒ２，Ｒ３，Ｒ４によって分圧された絶縁電源ＤＣＤＣ１や絶縁電源ＤＣＤＣ２の分圧値が基準電圧Ｖｒ１，Ｖｒ２よりも低い状態ではＬｏｗ（０）信号を出力（Ｌｏｗ出力）し、又、その分圧値が基準電圧Ｖｒ１よりも高くなるとＨｉｇｈ信号を出力（Ｈｉｇｈ出力）するようになっているのである。
【０１０２】
遅延部２１−１は、抵抗Ｒ３，Ｒ７，Ｒ８，コンデンサＣ１，トランジスタＱ１，Ｑ３およびダイオードＤ１をそなえて構成されている。そして、抵抗Ｒ３とコンデンサＣ１とによりＣＲタイマが構成され、コンデンサＣ１および抵抗Ｒ３の充放電の特性を用いて遅延時間を生成するようになっている。なお、トランジスタＱ１，Ｑ３は遅延回路のトランジスタとして機能し、抵抗Ｒ７，Ｒ８はそれぞれトランジスタＱ１，Ｑ３のバイアス抵抗である。又、ダイオードＤ１はツエナダイオードである。
【０１０３】
遅延部２１−２は、遅延部２１−１と同様に、抵抗Ｒ６，Ｒ９，Ｒ１０，コンデンサＣ２，トランジスタＱ２，Ｑ４およびダイオードＤ２をそなえて構成され、抵抗Ｒ６とコンデンサＣ２とによりＣＲタイマが構成されている。又、トランジスタＱ２，Ｑ４は遅延回路のトランジスタとして機能し、抵抗Ｒ９，Ｒ１０はそれぞれトランジスタＱ２，Ｑ４のバイアス抵抗であり、ダイオードＤ２はツエナダイオードである。
【０１０４】
また、遅延部２１−１のダイオードＱ３の出力と、遅延部２１−２のダイオードＱ４の出力とは互いに接続され、非絶縁電源ＤＣＤＣ３〜ＤＣＤＣ７の各ＲＣ端子に接続されている。
そして、これらの遅延部２１−１，２１−２の各遅延時間は、絶縁電源ＤＣＤＣ１や絶縁電源ＤＣＤＣ２の出力電力立ち上がり遅れ時間以上に設定されており、当該電源装置１００ｃの設計者が、絶縁電源ＤＣＤＣ１，ＤＣＤＣ２の各特性等に基づき、抵抗Ｒ３，Ｒ６やコンデンサＣ１，Ｃ２等を適宜、選択・変更して構成することにより設定するようになっている。
【０１０５】
遅延部２１−１においては、比較器ＩＣ１の出力がＬｏｗの場合に、コンデンサＣ１の電圧が０Ｖとなるので、トランジスタＱ１がＯＦＦ状態となり、トランジスタＱ３がＯＮとなりＬｏｗを出力する。そして、比較器ＩＣ１の出力（タイミング信号）がＨｉｇｈに転じると、抵抗Ｒ３を通してコンデンサＣ１の充電が開始される。
コンデンサＣ１の充電が進み、ある時間を経過するとコンデンサＣ１の電圧がダイオード（ツエナダイオード）Ｄ１のツエナ電圧以上になり、トランジスタＱ１をＯＮする。トランジスタＱ１がＯＮするとトランジスタＱ３をＯＦＦして、トランジスタＱ３の出力（タイミング信号）はＨｉｇｈに転じる。このようにして遅延動作が行われるのである。
【０１０６】
同様に、遅延部２１−２においては、比較器ＩＣ２の出力がＬｏｗの場合に、コンデンサＣ２の電圧が０Ｖとなるので、ダイオードＱ２がＯＦＦ状態となり、Ｑ４がＯＮとなりＬｏｗを出力する。比較器ＩＣ２の出力（タイミング信号）がＨｉｇｈに転じると、抵抗Ｒ６を通してコンデンサＣ２の充電が開始される。
コンデンサＣ２の充電が進み、ある時間を経過するとコンデンサＣ２の電圧がダイオード（ツエナダイオード）Ｄ２のツエナ電圧以上になり、トランジスタＱ２をＯＮする。トランジスタＱ２がＯＮするとトランジスタＱ４をＯＦＦして、トランジスタＱ４の出力（タイミング信号）はＨｉｇｈに転じる。このようにして遅延動作が行われるのである。
【０１０７】
なお、監視回路２０−１，２０−２の比較器ＩＣ１，ＩＣ２は、絶縁電源ＤＣＤＣ１，ＤＣＤＣ２の出力電圧の分圧値が基準電圧ＶＲ１，ＶＲ２よりも高くなる事で絶縁電源ＤＣＤＣ１や絶縁電源ＤＣＤＣ２の出力電圧が立ち上がったと判断して、ＬｏｗからＨｉｇｈに転ずる。そして、これらの比較器ＩＣ１，ＩＣ２がＬｏｗからＨｉｇｈに転じると、遅延部２１−１，２１−２を構成するトランジスタＱ３，Ｑ４の出力が遅延時間経過後にＬｏｗからＨｉｇｈに転じるのである。
【０１０８】
また、トランジスタＱ３，Ｑ４の出力は互いに接続されているので、一方がＬｏｗすなわち出力電圧の分圧値が基準電圧を満たない場合には、非絶縁電源ＤＣＤＣ３〜ＤＣＤＣ７においては各ＲＣ端子がＬｏｗのままとなり、停止状態が維持されるのである。又、トランジスタＱ３，Ｑ４両方の出力がＨｉｇｈ、すなわち、絶縁電源ＤＣＤＣ１および絶縁電源ＤＣＤＣ２の両方の出力電圧の分圧値が基準電圧を超えて一致時間を経過すると、非絶縁電源ＤＣＤＣ３〜ＤＣＤＣ７においては各ＲＣ端子がＨｉｇｈとなり、一斉に起動するのである。
【０１０９】
上述の如く構成された本発明の第３実施形態としての電源装置１００ｃにおける各部の電圧の状態を、図１０（ａ）〜（ｍ）に示すタイミングチャートを参照しながら説明する。
ここで、図１０（ａ）は絶縁電源ＤＣＤＣ１から出力される中間電圧Ｖｉ１を示す図、図１０（ｂ）は絶縁電源ＤＣＤＣ２から出力される中間電圧Ｖｉ２を示す図、図１０（ｃ）は遅延部２１−１のコンデンサＣ１にかかる電圧Ｖｃ１を示す図、図１０（ｄ）は遅延部２１−２のコンデンサＣ２にかかる電圧Ｖｃ２を示す図、図１０（ｅ）は遅延部２１−１のトランジスタＱ３から出力されるタイミング信号を示す図、図１０（ｆ）は遅延部２１−２のトランジスタＱ４から出力されるタイミング信号を示す図、図１０（ｇ）は図１０（ｅ）に示す遅延部２１−１のトランジスタＱ３から出力されるタイミング信号と図１０（ｆ）に示す遅延部２１−２のトランジスタＱ４から出力されるタイミング信号とのワイヤード出力を示す図、図１０（ｈ）は負荷素子ＬＯＡＤ１のＶ１端子に入力される信号を示す図、図１０（ｉ）は負荷素子ＬＯＡＤ１のＶ２端子に入力される信号を示す図、図１０（ｊ）は負荷素子ＬＯＡＤ１のＶ３端子に入力される信号を示す図、図１０（ｋ）は負荷素子ＬＯＡＤ２のＶ１端子に入力される信号を示す図、図１０（ｌ）は負荷素子ＬＯＡＤ２のＶ２端子に入力される信号を示す図、図１０（ｍ）は負荷素子ＬＯＡＤ２のＶ３に入力される信号を示す図である。
【０１１０】
また、これらの図１０（ａ）〜図１０（ｍ）に示す例においても、絶縁電源ＤＣＤＣ１が絶縁電源ＤＣＤＣ２よりも先に起動し（立ち上がり）、電力供給を開始する例を示している。
さて、本電源装置１００ｃが起動しておらず、絶縁電源ＤＣＤＣ１，ＤＣＤＣ２のいずれも起動していない状態（停止状態）では（時刻Ｔ０〜Ｔ１参照）、監視回路２０−１の比較器ＩＣ１および監視回路２０−２の比較器ＩＣ２のいずれにも電力が供給されず、これらの比較器ＩＣ１，ＩＣ２のいずれの出力も不確定な状態であるが、一方、非絶縁電源ＤＣＤＣ３〜ＤＣＤＣ７のいずれにも電力が供給されておらず（停止状態）、これらの非絶縁電源ＤＣＤＣ３〜ＤＣＤＣ７も起動されることがない。従って、これらの非絶縁電源ＤＣＤＣ３〜ＤＣＤＣ７から負荷素子ＬＯＡＤ１，ＬＯＡＤ２に対して、不確定な電力供給が行なわれることはない。
【０１１１】
なお、図１０（ｅ），（ｆ）中、比較器ＩＣ１，ＩＣ２による出力が不確定な領域を斜線を付して示す。
そして、本電源装置１００ｃが起動し、先ず、絶縁電源ＤＣＤＣ１が起動して、その出力電圧が立ち上がった場合に（時刻Ｔ１；図１０（ａ）の点Ｄ１参照）、監視回路２０−１の比較器ＩＣ１の出力はＨｉｇｈとなるが、遅延部２１−１の動作により、コンデンサＣ１の充電が開始される（図１０（ｃ）の時刻Ｔ１参照）。コンデンサＣ１の充電が進み、ある時間を経過するとコンデンサＣ１の電圧がダイオード（ツエナダイオード）Ｄ１のツエナ電圧以上になり（図１０（ｃ）の時刻Ｔ３参照）、トランジスタＱ１をＯＮする。
【０１１２】
そして、トランジスタＱ１がＯＮするとトランジスタＱ３をＯＦＦして、トランジスタＱ３の出力（タイミング信号）はＨｉｇｈに転じる（図１０（ｅ）の点Ｄ３参照）。
そして、コンデンサＣ１の電圧がツエナダイオードＤ１のツエナ電圧以上になるまでの間、すなわち、出力電圧立ち上り遅れ時間（Ｄｅｌａｙ１：図１０（ｃ）の時刻Ｔ１−Ｔ３参照）、トランジスタＱ３はＬｏｗを維持する（図１０（ｅ）参照）。
【０１１３】
また、絶縁電源ＤＣＤＣ２が起動するまでの間（図１０（ｂ）の時刻Ｔ０−Ｔ２参照）は、ダイオードＱ４は不確定であるが（図１０（ｆ）参照）、遅延部２１−１のトランジスタＱ３の出力がＬｏｗであるので、非絶縁電源ＤＣＤＣ３〜ＤＣＤＣ７の各ＲＣ端子はＬｏｗを維持されて停止状態を継続する（図１０（ｇ）参照）。
その後、絶縁電源ＤＣＤＣ２の出力電圧が遅れて立ち上がると（時刻Ｔ２；図１０（ｂ）の点Ｄ２参照）、監視回路２０−２の比較器ＩＣ２の出力はＨｉｇｈとなるが、遅延部２１−２の動作により、コンデンサＣ２の充電が開始される（図１０（ｄ）の時刻Ｔ２参照）。コンデンサＣ２の充電が進み、ある時間を経過するとコンデンサＣ２の電圧がダイオード（ツエナダイオード）Ｄ２のツエナ電圧以上になり（図１０（ｄ）の時刻Ｔ４参照）、トランジスタＱ２をＯＮする。
【０１１４】
そして、トランジスタＱ２がＯＮするとトランジスタＱ４をＯＦＦして、トランジスタＱ４の出力（タイミング信号）はＨｉｇｈに転じる（図１０（ｄ）の点Ｄ４参照）。
そして、コンデンサＣ２の電圧がツエナダイオードＤ２のツエナ電圧以上になるまでの間、すなわち、出力電圧立ち上り遅れ時間（Ｄｅｌａｙ２：図１０（ｄ）の時刻Ｔ２−Ｔ４参照）、トランジスタＱ４はＬｏｗを維持する（図１０（ｆ）参照）。
【０１１５】
絶縁電源ＤＣＤＣ１が起動し、その出力電圧が立ち上がったことを監視回路２０−１が検知して、遅延部２１−１にタイミング信号が入力されると、遅延部２１−１においては、その出力電圧立ち上り遅れ時間（Ｄｅｌａｙ１）が経過した後に、トランジスタＱ３はＬｏｗからＨｉｇｈに転じるが（図１０（ｅ）の時刻Ｔ３参照）、この時点においては、遅延部２１−２のトランジスタＱ４の出力がＬｏｗであるので、非絶縁電源ＤＣＤＣ３〜ＤＣＤＣ７の各ＲＣ端子はＬｏｗを維持されて停止状態を継続する（図１０（ｆ）の時刻Ｔ３〜Ｔ４参照）。
【０１１６】
また、絶縁電源ＤＣＤＣ２が起動し、その出力電圧が立ち上がったことを監視回路２０−２が検知して、その比較器ＩＣ２の出力がＨｉｇｈになり遅延部２１−２にタイミング信号が入力されると、遅延部２１−２において、出力電力立ち上り遅れ時間（Ｄｅｌａｙ２）経過した後に、遅延部２１−２のトランジスタＱ２，Ｑ４の出力がHighに転じる（図１０（ｆ）の時刻Ｔ４参照）。
【０１１７】
これにより、非絶縁電源ＤＣＤＣ３〜ＤＣＤＣ７の各ＲＣ信号はＬｏｗからＨｉｇｈに転じて（図１０（ｆ）の点Ｄ４参照）、これらの非絶縁電源ＤＣＤＣ３〜ＤＣＤＣ７が一斉に起動する（図１０（ｈ）〜図１０（ｍ））。
これにより、負荷素子ＬＯＡＤ１および負荷素子ＬＯＡＤ２の各Ｖ１端子，Ｖ２端子およびＶ３端子には、ほぼ同時に電力が供給されるのである。
【０１１８】
このように、本発明の第３実施形態としての電源装置１００ｃによれば、第１実施形態の電源装置１００ａと同様に、絶縁電源ＤＣＤＣ１と絶縁電源ＤＣＤＣ２とが同時に起動しない場合であっても、後段の非絶縁電源ＤＣＤＣ３〜ＤＣＤＣ７に不安定なタイミング信号が入力されることがなく、負荷素子ＬＯＡＤ１，ＬＯＡＤ２に対して安定した電力供給を行なうことができ、信頼性を向上させることができる。
【０１１９】
すなわち、複数の遅延部２１−１，２１−２の出力は互いに接続（ワイヤードオア）されているので、一方がＬｏｗ、すなわち、出力電圧の分圧値が基準電圧を満たさない場合は、非絶縁電源ＤＣＤＣ３〜ＤＣＤＣ７の各ＲＣ端子はＬｏｗのままとなり、これらの非絶縁電源ＤＣＤＣ３〜ＤＣＤＣ７は停止状態を維持することができる。
そして、複数の絶縁電源ＤＣＤＣ１，ＤＣＤＣ２のうち、一方の絶縁電源（例えば、絶縁電源ＤＣＤＣ１）だけが起動した場合においても、他の絶縁電源（例えば、絶縁電源ＤＣＤＣ２）が起動し、その出力電力が安定するまで（立ち上り遅れ時間以上）、その対応する監視回路２０−１から入力されるタイミング信号を遅延させて出力する、すなわち、遅延させている間はＬｏｗ状態を維持するので、その他の絶縁電源（例えば、絶縁電源ＤＣＤＣ２）の未起動により、その対応する監視回路２０−２が出力不確定状態となり不確定な出力信号（タイミング信号）を出力しても、非絶縁電源ＤＣＤＣ３〜ＤＣＤＣ７の各ＲＣ端子をＬｏｗに維持され、これらの非絶縁電源ＤＣＤＣ３〜ＤＣＤＣ７は停止状態を維持することができるのである。
【０１２０】
これにより、これらの非絶縁電源ＤＣＤＣ３〜ＤＣＤＣ７から負荷素子ＬＯＡＤ１，ＬＯＡＤ２に対して、不確定な電力供給が行なわれることはない。
そして、比較器ＩＣ１および比較器ＩＣ２の両方の出力がＨｉｇｈとなり、これらのタイミング信号が遅延部２１−１，２１−２により、それぞれ出力電力立ち上り遅れ時間以上（Ｄｅｌａｙ１，Ｄｅｌａｙ２）遅延され、これらの遅延されたタイミング信号の両方がＨｉｇｈとなった場合に、非絶縁電源ＤＣＤＣ３〜ＤＣＤＣ７が一斉に起動し、これらの非絶縁電源ＤＣＤＣ３〜ＤＣＤＣ７から負荷素子ＬＯＡＤ１および負荷素子ＬＯＡＤ２の各Ｖ１端子，Ｖ２端子およびＶ３端子に、ほぼ同時に電力を供給することができ、複数の絶縁電源ＤＣＤＣ１，ＤＣＤＣ２間で起動時間にずれが生じる場合においても、非絶縁電源ＤＣＤＣ３〜ＤＣＤＣ７を同じタイミングで一斉に起動させることができ、負荷素子ＬＯＡＤ１，ＬＯＡＤ２に安定した電源を供給できる。
【０１２１】
そして、これにより、本発明の第３実施形態としての電源装置１００ｃにおいても、複数の絶縁電源ＤＣＤＣ１，ＤＣＤＣ２の起動の時間差異により無駄に非絶縁電源ＤＣＤＣ３〜ＤＣＤＣ７を分散させることなく、効率よく非絶縁電源の電力を負荷素子に対して分配することができる。
また、これらの非絶縁電源ＤＣＤＣ３〜ＤＣＤＣ７に電力を供給する絶縁電源ＤＣＤＣ１，ＤＣＤＣ２についても同様に、効率よく配下の非絶縁電源ＤＣＤＣ３〜ＤＣＤＣ７に電力を分配することができる。
【０１２２】
さらに、これらの絶縁電源ＤＣＤＣ１，ＤＣＤＣ２について、各起動時間の遅延のばらつきに対する配慮が不要となるので、安価な電源を使用することができ、製造コストを低減することができる。
また、本第３実施形態の電源装置１００ｃにおいては、３以上の絶縁電源ＤＣＤＣをそなえる場合にも適用することができる。
【０１２３】
また、一次電源１０より電圧が低い電圧（中間電圧，中間電位）に変換する絶縁電源ＤＣＤＣ１，ＤＣＤＣ２を、小型の非絶縁電源（ＰＯＬコンバータ）ＤＣＤＣ３〜ＤＣＤＣ７の前段に設けることにより、ＰＯＬ電源を小型化し、装置内部の絶縁確保を行なうことができる。
なお、本発明の各実施形態が開示されていれば、本発明を当業者によって実施・製造することが可能である。
【０１２４】
（Ｄ）その他
そして、本発明は上述した各実施形態に限定されるものではなく、本発明の趣旨を逸脱しない範囲で種々変形して実施することができる。
例えば、上述した各実施形態においては、２つの絶縁電源ＤＣＤＣ１，ＤＣＤＣ２，５つの非絶縁電源ＤＣＤＣ３〜ＤＣＤＣ７および２つ負荷素子ＬＯＡＤ１，ＬＯＡＤ２をそなえて構成された電子機器１を示しているが、これに限定されるものではなく、３以上の絶縁電源（第１電源）をそなえてもよく、又、４つ以下もしくは６つ以上の非絶縁電源（第２電源）をそなえてもよく、更に、３以上の負荷素子をそなえてもよい。
【０１２５】
また、電子装置１はコンピュータに限定されるものではなく、電源装置をそなえて動作する種々の機器であってもよい。
さらに、上述した第１実施形態〜第３実施形態にかかる技術の少なくとも２つを組み合わせて実施してもよい。
（Ｅ）付記
（付記１）  一次電源から供給される一次電源電圧の電力を供給電圧に変換して出力する電源装置であって、
該一次電源電圧を中間電圧に変換する複数の第１電源と、
該第１電源によって変換された該中間電圧を該供給電圧に変換して出力する第２電源と、
前記複数の第１電源のそれぞれから該中間電圧に変換された該電力を入力され、前記複数の第１電源の起動タイミングのずれを吸収するタイミング調整を行なって、該第２電源に該供給電圧の出力を行なわせるタイミング調整部とをそなえることを特徴とする、電源装置。
【０１２６】
（付記２）  該タイミング調整部が、
前記複数の第１電源のそれぞれに対応してそなえられ、各対応する該第１電源から入力される該電力に基づいてタイミング信号を出力可能な複数のタイミング信号出力部をそなえて構成され、
前記複数のタイミング信号出力部が、それぞれ、前記複数の第１電源のうち当該タイミング信号出力部に対応する該第１電源とは異なる他の第１電源から駆動電力を供給されることにより動作することを特徴する、付記１記載の電源装置。
【０１２７】
（付記３）  前記複数のタイミング信号出力部が、それぞれ、前記複数の第１電源からそれぞれ供給される駆動電力を合成する合成部をそなえ、該合成部によって合成された駆動電力を供給されることを特徴する、付記２記載の電源装置。
（付記４）  該タイミング調整部が、
前記複数の第１電源のそれぞれに対応してそなえられ、各対応する該第１電源から入力される該電力に基づいてタイミング信号を出力可能な複数のタイミング信号出力部と、
前記複数のタイミング信号出力部のそれぞれに対応してそなえられ、前記複数の第１電源のうち対応する該第１電源とは異なる他の第１電源の出力電力立ち上り遅れ時間以上、前記対応する該タイミング信号出力部から入力される該タイミング信号を遅延させて出力可能な複数の遅延部と、
前記複数の遅延部からそれぞれ出力される該タイミング信号の論理積をとる論理積部とをそなえることを特徴とする、付記１記載の電源装置。
【０１２８】
（付記５）  該タイミング信号出力部が、当該タイミング信号出力部に対応する該第１電源の出力電圧を基準電圧と比較する電圧コンパレータをそなえて構成され、当該電圧コンパレータの非通電時には該第２電源の出力動作を抑止しうる抑止信号を出力することを特徴とする、付記２〜付記４のいずれか１項に記載の電源装置。
（付記６）  該第２電源が、当該第２電源の起動および停止を制御するための信号を入力されるための制御信号入力部をそなえ、
該タイミング調整部が、該タイミング信号を該制御信号入力部に入力することにより、該第２電源に前記供給電圧の出力を行なわせることを特徴とする、付記２〜付記５のいずれか１項に記載の電源装置。
【０１２９】
（付記７）  供給電圧で動作する複数の負荷素子と、
一次電源から供給される一次電源電圧を中間電圧に変換する複数の第１電源と、
該第１電源によって変換された該中間電圧を該供給電圧に変換して出力する第２電源と、
前記複数の第１電源のそれぞれから該中間電圧に変換された該電力を入力され、前記複数の第１電源の起動タイミングのずれを吸収するタイミング調整を行なって、該第２電源に該供給電圧の出力を行なわせるタイミング調整部とをそなえることを特徴とする、電子装置。
【０１３０】
（付記８）  該タイミング調整部が、
前記複数の第１電源のそれぞれに対応してそなえられ、各対応する該第１電源から入力される該電力に基づいてタイミング信号を出力可能な複数のタイミング信号出力部をそなえて構成され、
前記複数のタイミング信号出力部が、それぞれ、前記複数の第１電源のうち当該タイミング信号出力部に対応する該第１電源とは異なる他の第１電源から駆動電力を供給されることにより動作することを特徴する、付記７記載の電子装置。
【０１３１】
（付記９）  前記複数のタイミング信号出力部が、それぞれ、前記複数の第１電源からそれぞれ供給される駆動電力を合成する合成部をそなえ、該合成部によって合成された駆動電力を供給されることを特徴する、付記８記載の電子装置。
（付記１０）  該タイミング調整部が、
前記複数の第１電源のそれぞれに対応してそなえられ、各対応する該第１電源から入力される該電力に基づいてタイミング信号を出力可能な複数のタイミング信号出力部と、
前記複数のタイミング信号出力部のそれぞれに対応してそなえられ、前記複数の第１電源のうち対応する該第１電源とは異なる他の第１電源の出力電力立ち上り遅れ時間以上、前記対応する該タイミング信号出力部から入力される該タイミング信号を遅延させて出力可能な複数の遅延部と、
前記複数の遅延部からそれぞれ出力される該タイミング信号の論理積をとる論理積部とをそなえることを特徴とする、付記７記載の電子装置。
【０１３２】
（付記１１）  該タイミング信号出力部が、当該タイミング信号出力部に対応する該第１電源の出力電圧を基準電圧と比較する電圧コンパレータをそなえて構成され、当該電圧コンパレータの非通電時には該第２電源の出力動作を抑止しうる抑止信号を出力することを特徴とする、付記８〜付記１０のいずれか１項に記載の電子装置。
（付記１２）  該第２電源が、当該第２電源の起動および停止を制御するための信号を入力されるための制御信号入力部をそなえ、
該タイミング調整部が、該タイミング信号を該制御信号入力部に入力することにより、該第２電源に前記供給電圧の出力を行なわせることを特徴とする、付記８〜付記１１のいずれか１項に記載の電子装置。
【産業上の利用可能性】
【０１３３】
負荷素子の近くに非絶縁電源をそなえるＰＯＬ（Point Of Load）方式として構成された電源装置の他、複数段の電源装置（コンバータ）を介して負荷素子に電源を供給する電源装置にも適用できる。
【図面の簡単な説明】
【０１３４】
【図１】本発明の第１実施形態としての電源装置の構成を模式的に示す図である。
【図２】図１に示した本発明の第１実施形態としての電源装置のタイミング調整部の回路構成を具体的に示す図である。
【図３】（ａ）〜（ｋ）は本発明の第１実施形態としての電源装置における各部の電圧の状態を示すタイミングチャートである。
【図４】本発明の第２実施形態としての電源装置の構成を模式的に示す図である。
【図５】本発明の第２実施形態としての電源装置のタイミング調整部の回路構成を具体的に示す図である。
【図６】（ａ）〜（ｍ）は本発明の第２実施形態としての電源装置における各部の電圧の状態を示すタイミングチャートである。
【図７】本発明の第３実施形態としての電源装置の構成を模式的に示す図である。
【図８】（ａ）〜（ｋ）は本発明の第３実施形態としての電源装置における各部の電圧の状態を示すタイミングチャートである。
【図９】本発明の第３実施形態としての電源装置のタイミング調整部の具体的な構成例を示す図である。
【図１０】（ａ）〜（ｍ）は本発明の第３実施形態としての電源装置における各部の電圧の状態を示すタイミングチャートである。
【図１１】従来のＩＢＡ給電電源構成をそなえる電源装置の構成例を模式的に示す図である。
【図１２】（ａ）〜（ｈ）は図１１に示す従来の電源装置における各電圧の状態を示すタイミングチャートである。
【図１３】従来の電源装置の他の構成例を模式的に示す図である。
【図１４】（ａ），（ｂ）は図１３に示す従来の電源構成における各電圧の状態を示すタイミングチャートである。
【符号の説明】
【０１３５】
１    電子装置
１０    一次電源
２０−１，２０−２    監視回路（タイミング信号出力部）
２０ａ，２０ｂ，２０ｃ    タイミング調整部
２１−１，２１−２    遅延部
Ｃ１，Ｃ２    コンデンサ
ＩＣ１，ＩＣ２    比較器
ＤＣＤＣ１，ＤＣＤＣ２    絶縁電源（第１電源）
ＤＣＤＣ３〜ＤＣＤＣ７    非絶縁電源（第２電源）
ＬＯＡＤ１，ＬＯＡＤ２    負荷素子
Ｌ１〜Ｌ４    電力供給線
D１〜D４    ダイオード
Ｑ１〜Ｑ４  トランジスタ
Ｒ１〜Ｒ１０    抵抗
【図１】
0005130922.tif 000002
【図２】
0005130922.tif 000003
【図３】
0005130922.tif 000004
【図４】
0005130922.tif 000005
【図５】
0005130922.tif 000006
【図６】
0005130922.tif 000007
【図７】
0005130922.tif 000008
【図８】
0005130922.tif 000009
【図９】
0005130922.tif 000010
【図１０】
0005130922.tif 000011
【図１１】
0005130922.tif 000012
【図１２】
0005130922.tif 000013
【図１３】
0005130922.tif 000014
【図１４】
0005130922.tif 000015